(57)【要約】  本発明の実施形態は、データ伝送方法、装置、及びシステムを提供する。方法は、データ伝送システムに適用される。データ伝送システムは、システムプラットフォームと、端末デバイスとを含む。システムプラットフォームにより実行される方法は、端末デバイスの種類及び端末デバイスにより生成されるデータの種類に基づいて、端末デバイスにより生成されたデータのデータ伝送ルールを決定するステップと、データ伝送メッセージを端末デバイスに送信するステップを含み、端末デバイスがデータ伝送ルールに基づいてシステムプラットフォームに、データ伝送ルールに対応するデータを送信できるように、データ伝送メッセージがデータ伝送ルールを搬送する。データ送信ルールを設定することにより、大量のデータがシステムプラットフォームに送信されるのを効果的に防ぐことができ、優先順位の高いデータを優先的に処理してシステム性能を向上させることができる。
2019515595.tif 000002
【特許請求の範囲】
【請求項１】
データ伝送システムに適用されるデータ伝送方法であって、前記データ伝送システムは、システムプラットフォームと、端末デバイスとを具備し、前記システムプラットフォームにより実行される方法は、
前記端末デバイスの種類及び前記端末デバイスにより生成されるデータの種類に基づいて、前記端末デバイスにより生成された前記データのデータ伝送ルールを決定するステップと、
データ伝送メッセージを前記端末デバイスに送信するステップであって、前記端末デバイスが、前記データ伝送ルールに基づいて前記システムプラットフォームに前記データ伝送ルールに対応する前記データを送信できるように、前記データ伝送メッセージが前記データ伝送ルールを搬送する、ステップと、
を具備することを特徴とするデータ伝送方法。
【請求項２】
前記端末デバイスの種類及び前記端末デバイスにより生成されるデータの種類に基づいて前記端末デバイスにより生成された前記データのデータ伝送ルールを決定する前記ステップは、具体的には、
前記端末デバイスの前記種類及び前記端末デバイスの前記データの前記種類に基づいて、前記端末デバイスにより生成された前記データの優先順位を決定するステップと、
前記データの前記優先順位に基づいて前記データ伝送ルールを決定するステップと、
を具備することを特徴とする請求項1に記載のデータ伝送方法。
【請求項３】
前記データ伝送ルールは、データ伝送優先順位と、データ伝送様式とを具備することを特徴とする請求項1又は2に記載のデータ伝送方法。
【請求項４】
前記データの前記優先順位が第1の所定の閾値より低い場合には、前記データ伝送様式は、具体的には、前記システムプラットフォームが前記データを照会するときにのみ、前記データを前記システムプラットフォームにアップロードするように前記端末デバイスを設定するステップ、を具備することを特徴とする請求項3に記載のデータ伝送方法。
【請求項５】
前記データ伝送ルールは、事前データ報告ルールをさらに具備し、前記事前データ報告ルールは、前記端末デバイスが前記データの変動変更値が第2の所定の閾値より大きいことを検出するとすぐに、前記データを前記システムプラットフォームに伝送するために使用されることを特徴とする請求項3又は4に記載のデータ伝送方法。
【請求項６】
前記方法は、
ヘッダフィールドを前記データ伝送メッセージに追加するステップであって、前記ヘッダフィールドは、指示情報要素を具備し、前記指示情報要素は、前記データの前記優先順位を指示するために使用される、ステップ
をさらに具備することを特徴とする請求項1から5のいずれか一項に記載のデータ伝送方法。
【請求項７】
データ伝送方法であって、前記方法は、データ伝送システムに適用され、前記データ伝送システムは、システムプラットフォーム、ゲートウェイ、及び端末デバイスを具備し、前記システムプラットフォームにより実行される方法は、
前記端末デバイスの種類及び前記端末デバイスにより生成されるデータの種類に基づいて、前記ゲートウェイにより伝送されるデータのデータ伝送ルールを決定するステップと、
データ伝送メッセージを前記ゲートウェイに送信するステップであって、前記ゲートウェイが前記データ伝送ルールに基づいて前記端末デバイスから前記データ伝送ルールに対応するデータを取得し、前記システムプラットフォームに前記データを送信できるように、前記データ伝送メッセージがデータ伝送ルールを搬送する、ステップと、
を具備することを特徴とするデータ伝送方法。
【請求項８】
前記端末デバイスの種類及び前記端末デバイスにより生成されるデータの種類に基づいて、前記ゲートウェイにより伝送されるデータのデータ伝送ルールを決定する前記ステップは、具体的には、
前記端末デバイスの前記種類及び前記端末デバイスの前記データの前記種類に基づいて、前記端末デバイスにより生成された前記データの優先順位を決定するステップと、
前記データの前記優先順位に基づいて前記データ伝送ルールを決定するステップと、
を具備することを特徴とする請求項7に記載のデータ伝送方法。
【請求項９】
前記データ伝送ルールは、データ伝送優先順位と、データ伝送様式とを具備することを特徴とする請求項7又は8に記載のデータ伝送方法。
【請求項１０】
前記データの前記優先順位が第1の所定の閾値より低い場合には、前記データ伝送様式は、具体的には、前記システムプラットフォームが前記データを照会するときにのみ前記データを前記システムプラットフォームにアップロードするように前記ゲートウェイを設定するステップを具備することを特徴とする請求項9に記載のデータ伝送方法。
【請求項１１】
前記データ伝送ルールは、事前データ報告ルールをさらに具備し、前記事前データ報告ルールは、前記ゲートウェイが前記データの変動変更値が第2の所定の閾値より大きいことを検出するとすぐに、前記データを前記システムプラットフォームに伝送するために使用されることを特徴とする請求項9又は10に記載のデータ伝送方法。
【請求項１２】
前記方法は、ヘッダフィールドを前記データ伝送メッセージに追加するステップをさらに具備し、前記ヘッダフィールドは、指示情報要素を具備し、前記指示情報要素は、データ伝送の前記優先順位を示すために使用されることを特徴とする請求項7から11のいずれか一項に記載のデータ伝送方法。
【請求項１３】
データ伝送装置であって、前記装置は、
前記端末デバイスの種類及び前記端末デバイスにより生成されるデータの種類に基づいて、前記端末デバイスにより生成された前記データのデータ伝送ルールを決定するように構成された処理モジュールと、
データ伝送メッセージを前記端末デバイスに送信するように構成された送信モジュールであって、前記端末デバイスが前記データ伝送ルールに基づいてシステムプラットフォームに、前記データ伝送ルールに対応する前記データを送信できるように、前記データ伝送メッセージが前記データ伝送ルールを搬送する、送信モジュールと、
を具備することを特徴とするデータ伝送装置。
【請求項１４】
前記処理モジュールは、具体的には、
前記端末デバイスの前記種類及び前記端末デバイスの前記データの前記種類に基づいて、前記端末デバイスにより生成された前記データの優先順位を決定し、
前記データの前記優先順位に基づいて、前記データ伝送ルールを決定する
ように構成されていることを特徴とする請求項13に記載のデータ伝送装置。
【請求項１５】
前記データ伝送ルールは、データ伝送優先順位と、データ伝送様式とを具備することを特徴とする請求項13又は14に記載のデータ伝送装置。
【請求項１６】
前記データの前記優先順位が第1の所定の閾値より低い場合には、前記処理モジュールは、具体的には、前記システムプラットフォームが前記データを照会するときにのみ前記システムプラットフォームに前記データをアップロードするように前記端末デバイスを設定するように構成されていることを特徴とする請求項15に記載のデータ伝送装置。
【請求項１７】
前記データ伝送ルールは、事前データ報告ルールをさらに具備し、前記事前データ報告ルールは、前記端末デバイスが前記データの変動変更値が第2の所定の閾値より大きいことを検出するとすぐに、前記システムプラットフォームに前記データを伝送するために使用されることを特徴とする請求項15又は16に記載のデータ伝送装置。
【請求項１８】
前記処理モジュールは、ヘッダフィールドを前記データ伝送メッセージに追加するようにさらに構成され、前記ヘッダフィールドは、指示情報要素を具備し、前記指示情報要素は、前記データの前記優先順位を指示するために使用されることを特徴とする請求項13から17のいずれか一項に記載のデータ伝送装置。
【請求項１９】
データ伝送装置であって、前記装置は、
端末デバイスの種類及び前記端末デバイスにより生成されるデータの種類に基づいて、ゲートウェイにより伝送されるデータのデータ伝送ルールを決定するように構成されている処理モジュールと、
データ伝送メッセージを前記ゲートウェイに送信するように構成されている送信モジュールであって、前記ゲートウェイが、前記データ伝送ルールに基づいて前記端末デバイスから前記データ伝送ルールに対応するデータを取得し、システムプラットフォームに前記データを送信できるように前記データ伝送メッセージがデータ伝送ルールを搬送する、送信モジュールと、
を具備することを特徴とするデータ伝送装置。
【請求項２０】
前記処理モジュールは、具体的には、
前記端末デバイスの前記種類及び前記端末デバイスの前記データの前記種類に基づいて、前記端末デバイスにより生成された前記データの優先順位を決定し、
前記データの前記優先順位に基づいて前記データ伝送ルールを決定する
ように構成されていることを特徴とする請求項19に記載のデータ伝送装置。
【請求項２１】
前記データ伝送ルールは、データ伝送優先順位と、データ伝送様式とを具備することを特徴とする請求項19又は20に記載のデータ伝送装置。
【請求項２２】
前記データの前記優先順位が第1の所定の閾値より低い場合には、前記処理モジュールは、具体的には、前記システムプラットフォームが前記データを照会するときにのみ前記システムプラットフォームに前記データをアップロードするように前記ゲートウェイを設定するように構成されていることを特徴とする請求項21に記載のデータ伝送装置。
【請求項２３】
前記データ伝送ルールは、事前データ報告ルールをさらに具備し、前記事前データ報告ルールは、前記ゲートウェイが前記データの変動変更値が第2の所定の閾値より大きいことを検出するとすぐに、前記データを前記システムプラットフォームに伝送するために使用されることを特徴とする請求項21又は22に記載のデータ伝送装置。
【請求項２４】
前記処理モジュールは、ヘッダフィールドを前記データ伝送メッセージに追加するようにさらに構成され、前記ヘッダフィールドは、指示情報要素を具備し、前記指示情報要素は、データ伝送の前記優先順位を示すために使用されることを特徴とする請求項19から23のいずれか一項に記載のデータ伝送装置。
【請求項２５】
データ伝送システムであって、前記データ伝送システムは、請求項13から18のいずれか一項に記載の前記装置と、前記端末デバイスとを具備することを特徴とするデータ伝送装置。
【請求項２６】
データ伝送システムであって、前記データ伝送システムは、請求項19から24のいずれか一項に記載の前記装置、前記端末デバイス、及び前記ゲートウェイを具備することを特徴とするデータ伝送システム。
【発明の詳細な説明】
【技術分野】
【０００１】
本出願は、2016年5月12日に中国特許庁に提出された「DATA TRANSMISSION METHOD, APPARATUS, AND SYSTEM」という名称の中国特許出願第201610312314.4号の優先権を主張し、その全体が参照により本明細書に組み入れられる。
【０００２】
本発明は、移動通信技術の分野に関連し、特に、データ伝送方法、装置、及びシステムに関する。
【背景技術】
【０００３】
モノのインターネット(Internet of Things, 略してIOT)は、インターネットを、無線周波数識別装置、赤外線センサ、全地球測位システム、およびレーザスキャナなどの様々な情報センシングデバイスと組み合わせることによって得られる巨大なネットワークである。目的は、識別と管理を容易にするためにすべてのオブジェクトをネットワークに接続することである。モノのインターネットのこの機能により、IOTネットワークには大量のデータが同時に伝送される。大量のデータ伝送はシステム性能を低下させる。システム性能を改善するために大量のデータ伝送をどのように解決するかが、本発明において解決されるべき技術的問題である。
【発明の概要】
【課題を解決するための手段】
【０００４】
本発明の実施形態は、データ伝送方法、装置、及びシステムを提供する。
【０００５】
第1の態様では、本発明は、データ伝送方法を提供し、この方法は、データ伝送システムに適用され、前記データ伝送システムは、システムプラットフォームと、端末デバイスとを含み、前記システムプラットフォームにより実行される方法は、
前記端末デバイスの種類及び前記端末デバイスにより生成されるデータの種類に基づいて、前記端末デバイスにより生成された前記データのデータ伝送ルールを決定するステップと、
データ伝送メッセージを前記端末デバイスに送信するステップであって、前記端末デバイスが、前記データ伝送ルールに基づいて前記システムプラットフォームに前記データ伝送ルールに対応する前記データを送信できるように、前記データ伝送メッセージが前記データ伝送ルールを搬送する、ステップと、
を含む。
【０００６】
第1の態様に関連し、第1の態様の第1の可能な実装において、前記端末デバイスの種類及び前記端末デバイスにより生成されるデータの種類に基づいて、前記端末デバイスにより生成された前記データのデータ伝送ルールを決定する前記ステップは、具体的には、
前記端末デバイスの前記種類及び前記端末デバイスの前記データの前記種類に基づいて、前記端末デバイスにより生成された前記データの優先順位を決定するステップと、
前記データの前記優先順位に基づいて前記データ伝送ルールを決定するステップと、
を含む。
【０００７】
第1の態様、又は第1の態様の第1の可能な実装に関連し、第1の態様の第2の可能な実装において、前記データ伝送ルールは、データ伝送優先順位と、データ伝送様式とを含む。
【０００８】
第1の態様の第2の可能な実装に関連し、第1の態様の第3の可能な実装において、前記データの前記優先順位が第1の所定の閾値より低い場合には、前記データ伝送様式は、具体的には、前記システムプラットフォームが前記データを照会するときにのみ前記データを前記システムプラットフォームにアップロードするように前記端末デバイスを設定するステップ、を含む。
【０００９】
第1の態様の第3の可能な実装、又は第1の態様の第4の可能な実装に関連し、第1の態様の第5の可能な実装において、前記データ伝送ルールは、事前データ報告ルールをさらに含み、前記事前データ報告ルールは、前記端末デバイスが前記データの変動変更値が第2の所定の閾値より大きいことを検出するとすぐに、前記データを前記システムプラットフォームに伝送するために使用される。
【００１０】
第1の態様から第1の態様の第4の可能な実装のいずれか1つに関連し、第1の態様の第5の可能な実装において、前記方法は、
ヘッダフィールドを前記データ伝送メッセージに追加するステップであって、前記ヘッダフィールドは、指示情報要素を含み、前記指示情報要素は、前記データの前記優先順位を指示するために使用される、ステップ
をさらに含む。
【００１１】
第2の態様では、本発明は、別のデータ伝送方法を提供し、この方法は、データ伝送システムに適用され、前記データ伝送システムは、システムプラットフォーム、ゲートウェイ、及び端末デバイスを含み、前記システムプラットフォームにより実行される方法は、
前記端末デバイスの種類及び前記端末デバイスにより生成されるデータの種類に基づいて、前記ゲートウェイにより伝送されるデータのデータ伝送ルールを決定するステップと、
データ伝送メッセージを前記ゲートウェイに送信するステップであって、前記ゲートウェイが前記データ伝送ルールに基づいて前記端末デバイスから前記データ伝送ルールに対応するデータを取得し、前記システムプラットフォームに前記データを送信できるように前記データ伝送メッセージがデータ伝送ルールを搬送する、ステップと、
を含む。
【００１２】
第2の態様に関連し、第2の態様の第1の可能な実装において、前記端末デバイスの種類及び前記端末デバイスにより生成されるデータの種類に基づいて前記ゲートウェイにより伝送されるデータのデータ伝送ルールを決定する前記ステップは、具体的には、
前記端末デバイスの前記種類及び前記端末デバイスの前記データの前記種類に基づいて、前記端末デバイスにより生成された前記データの優先順位を決定するステップと、
前記データの前記優先順位に基づいて前記データ伝送ルールを決定するステップと、
を含む。
【００１３】
第2の態様、又は第2の態様の第1の可能な実装に関連し、第2の態様の第2の可能な実装において、前記データ伝送ルールは、データ伝送優先順位と、データ伝送様式とを含む。
【００１４】
第2の態様の第2の可能な実装に関連し、第2の態様の第3の可能な実装において、前記データの前記優先順位が第1の所定の閾値より低い場合には、前記データ伝送様式は、具体的には、前記システムプラットフォームが前記データを照会するときにのみ前記データを前記システムプラットフォームにアップロードするように前記ゲートウェイを設定するステップを含む。
【００１５】
第2の態様の第2の可能な実装、又は第2の態様の第3の可能な実装に関連し、第2の態様の第4の可能な実装において、前記データ伝送ルールは、事前データ報告ルールをさらに含み、前記事前データ報告ルールは、前記ゲートウェイが前記データの変動変更値が第2の所定の閾値より大きいことを検出するとすぐに、前記データを前記システムプラットフォームに伝送するために使用される。
【００１６】
第2の態様から第2の態様の第4の可能な実装のいずれか1つに関連し、第2の態様の第5の可能な実装において、前記方法は、ヘッダフィールドを前記データ伝送メッセージに追加するステップをさらに含み、前記ヘッダフィールドは、指示情報要素を含み、前記指示情報要素は、前記データ伝送の前記優先順位を示すために使用される。
【００１７】
第3の態様では、本発明は、データ伝送装置を提供し、前記装置は、
前記端末デバイスの種類及び前記端末デバイスにより生成されるデータの種類に基づいて、前記端末デバイスにより生成された前記データのデータ伝送ルールを決定するように構成された処理モジュールと、
データ伝送メッセージを前記端末デバイスに送信するように構成された送信モジュールであって、前記端末デバイスが前記データ伝送ルールに基づいて前記システムプラットフォームに、前記データ伝送ルールに対応する前記データを送信できるように、前記データ伝送メッセージが前記データ伝送ルールを搬送する、送信モジュールと、
を含む。
【００１８】
第3の態様に関連し、第3の態様の第1の可能な実装において、前記処理モジュールは、具体的には、
前記端末デバイスの前記種類及び前記端末デバイスの前記データの前記種類に基づいて、前記端末デバイスにより生成された前記データの優先順位を決定し、
前記データの前記優先順位に基づいて前記データ伝送ルールを決定する
ように構成されている。
【００１９】
第3の態様又は、第3の態様の第1の可能な実装に関連し、第3の態様の第2の可能な実装において、前記データ伝送ルールは、データ伝送優先順位と、データ伝送様式とを含む。
【００２０】
第3の態様の第2の可能な実装に関連し、第3の態様の第3の可能な実装において、前記データの前記優先順位が第1の所定の閾値より低い場合には、前記処理モジュールは、具体的には、前記システムプラットフォームが前記データを照会するときにのみ前記システムプラットフォームに前記データをアップロードするように前記端末デバイスを設定するように構成されている。
【００２１】
第3の態様の第2の可能な実装、又は第3の態様の第2の可能な実装に関連し、第3の態様の第4の可能な実装において、前記データ伝送ルールは、事前データ報告ルールをさらに含み、前記事前データ報告ルールは、前記端末デバイスが前記データの変動変更値が第2の所定の閾値より大きいことを検出するとすぐに、前記システムプラットフォームに前記データを伝送するために使用される。
【００２２】
第3の態様から第3の態様の第4の可能な実装のいずれか1つに関連し、第3の態様の第5の可能な実装において、前記処理モジュールは、ヘッダフィールドを前記データ伝送メッセージに追加するようにさらに構成され、前記ヘッダフィールドは、指示情報要素を含み、前記指示情報要素は、前記データの前記優先順位を指示するために使用されるようにさらに構成されている。
【００２３】
第4の態様では、本発明の実施形態は、別のデータ伝送装置を提供し、前記装置は、
前記端末デバイスの種類及び前記端末デバイスにより生成されるデータの種類に基づいて、前記ゲートウェイにより伝送されるデータのデータ伝送ルールを決定するように構成されている処理モジュールと、
データ伝送メッセージを前記ゲートウェイに送信するように構成されている送信モジュールであって、前記ゲートウェイが、前記データ伝送ルールに基づいて前記端末デバイスから前記データ伝送ルールに対応するデータを取得し、前記システムプラットフォームに前記データを送信できるように前記データ伝送メッセージがデータ伝送ルールを搬送する送信モジュールと、
を含む。
【００２４】
第4の態様に関連し、第4の態様の第1の可能な実装において、前記処理モジュールは、具体的には、前記端末デバイスの前記種類及び前記端末デバイスの前記データの前記種類に基づいて、前記端末デバイスにより生成された前記データの優先順位を決定し、
前記データの前記優先順位に基づいて前記データ伝送ルールを決定する
ように構成されている。
【００２５】
第4の態様、又は第4の態様の第1の可能な実装に関連し、第4の態様の第2の可能な実装において、前記データ伝送ルールは、データ伝送優先順位と、データ伝送様式とを含む。
【００２６】
第4の態様の第2の可能な実装に関連し、第4の態様の第3の可能な実装において、前記データの前記優先順位が第1の所定の閾値より低い場合には、前記処理モジュールは、具体的には、前記システムプラットフォームが前記データを照会するときにのみ前記システムプラットフォームに前記データをアップロードするように前記ゲートウェイを設定するように構成されている。
【００２７】
第4の態様の第2の可能な実装、又は第4の態様の第3の可能な実装に関連し、第4の態様の第4の可能な実装において、前記データ伝送ルールは、事前データ報告ルールをさらに含み、前記事前データ報告ルールは、前記ゲートウェイが前記データの変動変更値が第2の所定の閾値より大きいことを検出するとすぐに、前記データを前記システムプラットフォームに伝送するために使用される。
【００２８】
第4の態様から第4の態様の第4の可能な実装のいずれか1つに関連し、第4の態様の第5の可能な実装において、前記処理モジュールは、ヘッダフィールドを前記データ伝送メッセージに追加するようにさらに構成され、前記ヘッダフィールドは、指示情報要素を含み、前記指示情報要素は、前記データ伝送の前記優先順位を示すために使用される。
【００２９】
第5の態様では、本発明の実施形態は、データ伝送システムをさらに提供し、前記システムは、第3の態様のいずれか1つの態様による前記装置及び前記端末デバイスを含む。
【００３０】
第6の態様では、本発明の実施形態は、別のデータ伝送システムをさらに提供し、前記システムは、第4の態様のいずれか1つに記載の前記装置、前記端末デバイス、及び前記ゲートウェイを含む。
【００３１】
前述の技術的解決策に基づいて、本発明の実施形態は、データ伝送方法を提供する。前記システムプラットフォームは、まず、登録された端末デバイスのデバイス種類及び前記端末デバイスのデータの種類を取得し、前記端末デバイス種類及び前記データの種類に基づいてデータ伝送ルールを決定する。前記データ伝送ルールは、データ伝送優先順位、データ伝送形式、事前報告ルール、などを含む。データ送信ルールを設定することにより、大量のデータがシステムプラットフォームに送信されるのを効果的に防ぐことができ、優先順位の高いデータを優先的に処理してシステム性能を向上させることができる。
【図面の簡単な説明】
【００３２】
【図１】図1は、本発明の実施形態による、ゲートウェイを使用することによって端末デバイスが端末登録情報を登録のためにシステムプラットフォームに伝送するシグナリングフローチャート100である。
【図２】図2は、本発明の実施形態1による、データ伝送システムにおけるデバイス間のデータ伝送のシグナリングフローチャート200である。
【図３】図3は、本発明の実施形態2による、他のデータ伝送システムにおけるデバイス間のデータ伝送のシグナリングフローチャート300である。
【図４】図4は、本発明の実施形態3による、データ伝送装置の概略構造図400である。
【図５】図5は、本発明の実施形態4による、他のデータ伝送装置の概略構造図500である。
【発明を実施するための形態】
【００３３】
本発明の技術的解決策は、添付の図面及び以下の実施形態を参照してさらに詳細に説明される。
【００３４】
本発明の実施形態の目的、技術的解決策、および利点をより明瞭にするために、以下では、本発明の実施形態における添付の図面を参照して本発明の実施形態における技術的解決策を明瞭かつ完全に説明する。明らかに、説明される実施形態は、本発明の実施形態のすべてではなく一部である。創作的労力なしで本発明の実施形態に基づいて当業者が取得する他のすべての実施形態は、本発明の保護範囲に含まれなければならない。
【００３５】
図１は、本発明の実施形態による、ゲートウェイを使用することによって端末デバイスが端末登録情報を登録のためにシステムプラットフォームに伝送するシグナリングフローチャートである。具体的な登録処理は以下のとおりである。
【００３６】
まず、端末デバイスは、登録要求メッセージをゲートウェイに送信する。登録要求メッセージは、登録情報を搬送し、登録情報は、端末デバイスのID情報、端末デバイスの認証情報、端末デバイスの種類、及び端末デバイスのデータの種類を含む。端末デバイスの登録要求メッセージを受信した後、ゲートウェイは、端末デバイスに登録要求メッセージに対応する第1応答情報を返信し、システムプラットフォームに、登録情報を搬送する登録要求メッセージを転送する。登録要求メッセージを受信した後、システムプラットフォームは、登録要求メッセージから登録情報を取得し、その登録情報に基づいて端末デバイスの認証を実行し、その認証が成功した後、認証成功を示す第2応答情報をゲートウェイに返信する。ゲートウェイは、第2応答情報を端末デバイスに転送する。当然、認証が失敗すると、システムプラットフォームは、第3応答情報を返信し、ゲートウェイは、第3応答情報を端末デバイスにフィードバックする。
【００３７】
端末デバイスが登録要求メッセージをゲートウェイに伝送し、次いでゲートウェイを使用して登録要求メッセージをシステムプラットフォームに転送し、システムプラットフォームが登録要求メッセージ内の登録情報に基づいて端末デバイスの登録を実行する処理は、データ伝送ルールに基づいて行われるデータ伝送のたびに実行されるのではなく、一度実行される必要があることは理解し得る。登録処理は、データ伝送前に実行される必要がある必要な処理である。したがって、この実施形態では、まず、端末デバイスをシステムプラットフォームに登録する実行処理についてとりまとめる。
【００３８】
端末が２つの様式でシステムプラットフォームに登録され得ることに留意すべきである。１つの方法では、端末は、ゲートウェイを使用することにより、システムプラットフォームに登録し(具体的な処理が上述されている)、別の様式では、端末デバイスは、ゲートウェイのノードを使用せずに、システムプラットフォームに直接登録する。具体的な実行処理は、ゲートウェイを使用して実行される登録処理と類似する。それらの間の唯一の違いは、ゲートウェイが実行処理における媒体として使用されていないことである。詳細はここでは再び説明しない。
【００３９】
以下では、2つの様式のそれぞれにおける具体的なデータ伝送処理を説明する。
【００４０】
図２は、本発明の実施形態1による、データ伝送システムにおける構成要素間のデータ伝送のシグナリングフローチャート200である。システムは、システムプラットフォームと、端末デバイスとを含む。具体的な動作処理は以下のとおりである。
【００４１】
ステップ２１０：端末デバイスの種類及び端末デバイスにより生成されるデータの種類に基づいて、端末デバイスにより生成されたデータのデータ伝送ルールを決定する。
【００４２】
具体的には、端末デバイスの登録情報は、端末デバイスのID情報、端末デバイスの認証情報、端末デバイスの種類、及び端末デバイスのデータの種類を含む。したがって、端末デバイスの登録情報を取得した後、システムプラットフォームは、端末デバイスの種類及び端末デバイスのデータの種類を決定し得る。
【００４３】
データの優先順位に基づいてデータ伝送ルールを決定するために、端末デバイスの優先順位は、端末デバイスの種類及び端末デバイスにより生成されたデータの種類に基づいて決定され得る。データ伝送ルールは、データ伝送優先順位及びデータ伝送様式を含み得る。
【００４４】
デバイスの種類は、キー監視デバイス、共通監視デバイス、制限付き監視デバイス、及び非監視デバイスが含み得る。データの種類は、デバイス管理データ、リアルタイムデータ、ログデータ、等が含み得る。例えば、キー監視デバイスのログデータの優先順位は、共通監視デバイスの警告データの優先順位よりも常に低い。あるいは、データ優先順位は、具体的には、数値形式で表されてもよい。例えば、データ優先順位は、レベル1から9に設定される。優先順位の高いデータのレベルは、レベル7から9に設定され、一般的な優先順位のデータのレベルは、レベル4から6に設定され、優先順位の低いデータのレベルはレベル1から3に設定される。デバイスの種類及びデータの種類に基づいて具体的に決定されるデータ優先順位の優先順位の表現形式は、表1に示され得る。
【００４５】
【表１】
2019515595.tif 000003
【００４６】
さらに、データレベルが第1の所定の閾値(例えば、第1の所定の閾値が4)より低い場合には、端末デバイスは、システムプラットフォームにデータを積極的に伝送せずに、システムプラットフォームが照会メッセージを端末デバイスに送信した場合にのみ、システムプラットフォームにデータを送信するように設定される。
【００４７】
データ優先順位が設定された後、データ伝送様式は、
レベル7から9のデータの場合、端末デバイスはデータをシステムプラットフォームに定期的にアップロードし、
レベル4から6のデータの場合、端末デバイスは、データをまとめてパックし、システムプラットフォームにより指定された時間にシステムプラットフォームにデータをアップロードし、
レベル1から3のデータの場合、端末デバイスは、システムプラットフォームが照会メッセージを送信した場合にのみシステムプラットフォームにデータを送信する
ことを含み得る。
【００４８】
データ伝送ルールでは、異なるレベルのデータが一定期間内にシステムに伝送され得、システムプラットフォームが同じ期間内に大量のデータを受信するために引き起こされるシステム効率の低下の問題を回避する。
【００４９】
しかし、端末デバイスのデータは、常に安定しているとは限らず、時間の経過と共に大きく変動し得る。この場合、上述したデータ伝送ルールをさらに適用することはできず、具体的には、処理のためにデータをシステムプラットフォームに伝送するために、データを伝送するための期間まで待つことは適用できない。その代わりに、システムプラットフォームがデータを即座に処理できるように、データは直ちにシステムプラットフォームに伝送される必要がある。例えば、温度センサは、室内温度が摂氏20度から60度に急激に変化したことを検出する。この場合、室内火災事故が発生したか、又はデバイスが故障している可能性がある。システムプラットフォームが対応する処理を実行することができるように、端末デバイスは、直ちに、データを読み取りそのデータをシステムプラットフォームに送信する必要がある。したがって、本発明のこの実施形態では、データ伝送ルールは、事前データ報告ルールをさらに含み得る。事前データ報告ルールは、端末デバイスがデータの変動変更値が第2の所定の閾値より大きいことを検出するとすぐに、システムプラットフォームにデータを伝送するために使用される。
【００５０】
ステップ２２０：システムプラットフォームは、データ伝送メッセージを端末デバイスに送信する。
【００５１】
具体的には、端末デバイスがデータ伝送ルールに基づいてシステムプラットフォームに、データ伝送ルールに対応するデータを送信できるように、データ伝送メッセージがデータ伝送ルールを搬送する。
【００５２】
オプションで、新しいヘッダフィールドがデータ伝送メッセージに追加されてもよい。ヘッダフィールドは、データ伝送優先順位を示すために使用される第1指示情報要素を含む。
【００５３】
あるいは、データ優先順位を示している第2指示情報要素がデータ伝送メッセージのヘッダフィールドに格納されてもよい。
【００５４】
ステップ２３０：端末デバイスは、システムプラットフォームにより送信されたデータ伝送メッセージを受信する。データ伝送メッセージはデータ伝送ルールを搬送する。
【００５５】
ステップ２４０：端末デバイスは、データ伝送ルールに基づいてシステムプラットフォームに、データ伝送ルールに対応するデータを送信する。
【００５６】
具体的には、システムプラットフォームが取得する必要があるデータ及びステップ220に記載された特定のデータ伝送様式(定期的に伝送されるデータ、一定期間内に伝送されるデータ、アクティブに伝送されないデータ、などを含む)は、データ伝送ルールに基づいて決定され得る。
【００５７】
端末デバイスは、システムプラットフォームが取得する必要があるデータを、システムプラットフォームにより指定される時間内にシステムプラットフォームに伝送する必要がある。
【００５８】
伝送処理において、データ伝送の優先順位は、データの優先順位に依存する。例えば、優先順位の高いデータが伝送され、優先順位の高いデータのデータ優先順位がレベル7から9の場合、データ伝送処理において、データ優先順位がレベル９であるデータはまずシステムプラットフォームに伝送される必要があり、次いで、優先順位がレベル８のデータがシステムプラットフォームに伝送され、優先順位がレベル7のデータがシステムプラットフォームに最後に伝送される。同様に、他の優先順位を有するデータについては、低い優先順位を有するデータが相対的に高い優先順位を有するデータよりも後に送信される。
【００５９】
具体例では、端末デバイスが、ボイラ温度センサ、一般ユーザの家の中のメータ、及びそのユーザの家の中の温度センサを含むと仮定する。端末デバイスは、端末デバイスの登録要求メッセージをシステムプラットフォームに直接送信する。システムプラットフォームが端末デバイスの認証に成功すると、端末デバイスは、システムプラットフォームに登録される。システムプラットフォームは、各端末デバイスの登録情報に基づいて各端末デバイスの種類を判定する。さらに、各端末デバイスの種類及び各端末デバイスにより生成されるデータの種類に基づいて、各端末デバイスに対応するデータ伝送ルールが策定される。例えば、端末デバイスは、ボイラ温度センサである。ボイラは、エネルギー変換デバイスである。ボイラによって生成された温水又は上記は、工業生産及び人々の生活に熱及びエネルギーを直接提供でき、あるいは蒸気動力装置を使用することにより機械的エネルギーに変換し得る。機械的エネルギーは、発電機を使用することにより電力にさらに変換し得る。ボイラの温度が特定の高いレベルに達すると、ボイラは爆発し得、機械が損傷され得、さらに悪いことには、作業員に身体損傷を引き起こし得る。したがって、ボイラの温度を常に監視する必要がある。したがって、ボイラ温度センサは、キー監視デバイスであり、ボイラ温度センサにより検出される温度データは重要なデータである。したがって、端末デバイスの種類及びデータの種類に基づいて、ボイラ温度センサにより検出される温度データがレベル7から9のキー監視データであると、判定され得る。一般ユーザの家の中で使用されるメータにより検出されたデータは、システムが、ユーザにより一定期間において使用された電気量に対する統計を収集し、適時に電気料金請求書のユーザに通知できるように、システムプラットフォーム定期的にアップロードされ得る。したがって、この種類のデータは、レベル4から6の共通管理データとして分類され得る。ユーザの室内温度センサは、室内温度を検出するように構成される。一般に、室内温度の変動幅は大きくはないため、温度データは、システムプラットフォームにリアルタイムで伝送される必要はない。端末デバイスは、システムプラットフォームが照会を実行するときにのみデータをシステムプラットフォームにアップロードする必要がある。したがって、データは、レベル1から3の優先順位の低いデータとして分類され得る。
【００６０】
例えば、上記データを伝送する場合、同時に、端末デバイスは、ボイラ温度センサの現在の温度データと、一か月以内のメータの総電気量データとをシステムプラットフォームに伝送する必要がある。ボイラ温度センサの温度データの優先順位は、メータの電気量データの優先順位よりも高い。したがって、ボイラ温度センサの温度データが優先的に伝送され、次いで電気メータの電力データが伝送される。
【００６１】
他の場合では、前述の説明から、ユーザの室内温度センサにより取得された温度データは優先順位の低いデータであり、一般に、端末デバイスは、温度データをシステムプラットフォームにアクティブに伝送しないことが分かり得る。しかし、いったん室内温度センサが室内温度が20°Cから60°Cに急激に上昇したことを検出すると、室内温度の変動変更値が特定の閾値(例えば、10°C)を超えたことを示す。温度が急激に上昇すると、火災事故が生じ得る。端末デバイスが、温度センサが室内温度が20°Cから60°Cに上昇したことを検出した、と判定すると、システムプラットフォームがイベントを適時に処理できるように、端末デバイスは、直ちにその情報をシステムプラットフォームにアップロードする。
【００６２】
本発明の実施形態1において提供されたデータ伝送方法によれば、システムプラットフォームは、登録された端末デバイスの種類及び端末デバイスにより生成されるデータの種類に基づいて、データ伝送ルールを設定する。データ伝送ルールは、データ伝送優先順位、データ伝送形式、事前報告ルール、等を含む。データ送信ルールを設定することにより、大量のデータがシステムプラットフォームに送信されるのを効果的に防ぐことができ、優先順位の高いデータを優先的に処理してシステム性能を向上させることができる。
【００６３】
別の場合では、端末デバイスは、ゲートウェイを使用することにより、システムプラットフォームへの通信接続をさらに確立し得る。ゲートウェイを使用することにより端末デバイスとシステムプラットフォームとの間で確立されるインターアクションの具体的な処理が図3に示されている。図3は、本発明の実施形態2による、他のデータ伝送システムにおける構成要素間のデータ伝送のシグナリングフローチャート300である。システムは、システムプラットフォーム、ゲートウェイ、及び端末デバイスを含む。具体的な動作処理は以下のとおりである。
【００６４】
ステップ３１０：システムプラットフォームは、端末デバイスの種類及び端末デバイスにより生成されるデータの種類に基づいて、ゲートウェイにより伝送されるデータのデータ伝送ルールを決定する。
【００６５】
具体的には、端末デバイスの登録情報は、端末デバイスのID情報、端末デバイスの認証情報、端末デバイスの種類、及び端末デバイスのデータの種類を含む。したがって、端末デバイスの登録情報を取得した後、システムプラットフォームは、端末デバイスの種類及び端末デバイスのデータの種類を決定し得る。
【００６６】
データの優先順位に基づいてデータ伝送ルールを決定するために、端末デバイスの優先順位は、端末デバイスの種類及び端末デバイスにより生成されたデータの種類に基づいて決定され得る。データ伝送ルールは、データ伝送優先順位及びデータ伝送様式を含み得る。
【００６７】
デバイスの種類は、キー監視デバイス、共通監視デバイス、制限付き監視デバイス、及び非監視デバイスが含み得る。データの種類は、デバイス管理データ、リアルタイムデータ、ログデータ、等が含み得る。例えば、キー監視デバイスのログデータの優先順位は、共通監視デバイスの警告データの優先順位よりも常に低い。あるいは、データ優先順位は、具体的には、数値形式で表されてもよい。例えば、データ優先順位は、レベル1から9に設定される。優先順位の高いデータのレベルは、レベル7から9に設定され、一般的な優先順位のデータのレベルは、レベル4から6に設定され、優先順位の低いデータのレベルはレベル1から3に設定される。デバイスの種類及びデータの種類に基づいて具体的に決定されるデータ優先順位の優先順位の表現形式は、表1に示され得る。
【００６８】
【表２】
2019515595.tif 000004
【００６９】
さらに、データレベルが第1の所定の閾値(例えば、第1の所定の閾値が4)より低い場合には、ゲートウェイは、システムプラットフォームにデータを積極的に伝送せずに、システムプラットフォームが照会メッセージをゲートウェイに送信した場合にのみ、システムプラットフォームにデータを送信するように設定される。
【００７０】
データ優先順位が設定された後、データ伝送様式は、
レベル7から9のデータの場合、ゲートウェイはデータをシステムプラットフォームに定期的にアップロードし、
レベル4から6のデータの場合、ゲートウェイは、データをまとめてパックし、システムプラットフォームにより指定された時間にシステムプラットフォームにデータをアップロードし、
レベル1から3のデータの場合、ゲートウェイは、システムプラットフォームが照会メッセージを送信した場合にのみシステムプラットフォームにデータを送信する
ことを含み得る。
【００７１】
データ伝送ルールでは、異なるレベルのデータが一定期間内にシステムに伝送され得、システムプラットフォームが同じ期間内に大量のデータを受信するために引き起こされるシステム効率の低下の問題を回避する。
【００７２】
しかし、端末デバイスのデータは、常に安定しているとは限らず、時間の経過と共に大きく変動し得る。この場合、上述したデータ伝送ルールをさらに適用することはできず、具体的には、処理のためにデータをシステムプラットフォームに伝送するために、データを伝送するための時間まで待つことは適用できない。その代わりに、システムプラットフォームがデータを即座に処理できるように、データは直ちにシステムプラットフォームに伝送される必要がある。例えば、温度センサは、室内温度が摂氏20度から60度に急激に変化したことを検出する。この場合、室内火災事故が発生したか、又はデバイスが故障している可能性がある。システムプラットフォームが対応する処理を実行することができるように、ゲートウェイは、直ちに、データを読み取りそのデータをシステムプラットフォームに送信する必要がある。したがって、本発明のこの実施形態において、データ伝送ルールは、事前データ報告ルールをさらに含み得る。事前データ報告ルールは、ゲートウェイがデータの変動変更値が第2の所定の閾値より大きいことを検出するとすぐに、データをシステムプラットフォームに伝送するために使用される。
【００７３】
ステップ３２０：システムプラットフォームは、データ伝送メッセージをゲートウェイに送信する。
【００７４】
具体的には、ゲートウェイがデータ伝送ルールに基づいて端末デバイスからデータ伝送ルールに対応するデータを取得し、システムプラットフォームにデータを送信できるように、データ伝送メッセージがデータ伝送ルールを搬送する。
【００７５】
オプションで、新しいヘッダフィールドがデータ伝送メッセージに追加されてもよい。ヘッダフィールドは、データ伝送優先順位を示すために使用される第1指示情報要素を含む。
【００７６】
あるいは、データ優先順位を示している第2指示情報要素がデータ伝送メッセージのヘッダフィールドに格納されてもよい。
【００７７】
ステップ３３０：ゲートウェイは、システムプラットフォームにより送信されたデータ伝送メッセージを受信する。データ伝送メッセージがデータ伝送ルールを搬送する。
【００７８】
ステップ３４０：データ伝送ルールに基づいて端末デバイスから、データ伝送ルールに対応するデータを取得し、データをシステムプラットフォームに送信する。
【００７９】
具体的には、システムプラットフォームが取得する必要があるデータ及びステップ310に記載された特定のデータ伝送様式は、データ伝送ルールに基づいて決定され得る。
【００８０】
システムプラットフォームにより指定される時間内に、ゲートウェイは、端末デバイスから、システムプラットフォームが取得する必要がある現在のデータを取得し、そのデータをシステムプラットフォームに伝送する必要がある。
【００８１】
伝送処理において、データ伝送の優先順位は、データの優先順位に依存する。例えば、優先順位の高いデータが伝送され、優先順位の高いデータのデータ優先順位がレベル7から9の場合、データ伝送処理において、データ優先順位がレベル９であるデータはまずシステムプラットフォームに伝送される必要があり、次いで、優先順位がレベル８のデータがシステムプラットフォームに伝送され、優先順位がレベル7のデータがシステムプラットフォームに最後に伝送される。同様に、他の優先順位を有するデータについては、低い優先順位を有するデータが相対的に高い優先順位を有するデータよりも後に送信される。
【００８２】
システムプラットフォームが照会を実行する必要がある場合に、ゲートウェイによりアクティブにアップロードされないデータ、例えば、優先順位が低いデータが、ゲートウェイによりシステムプラットフォームに送信されることが前述の説明から理解し得ることに留意すべきである。しかし、ゲートウェイは、照会に対応する報告されたデータに対して照会パラメータをさらに設定し得る。照会パラメータは、時間及び空間に関して設定されるパラメータであり得る。例えば、時間に関して、ゲートウェイは、3か月以内に取得された優先順位が低いデータだけを格納する。さらに3か月が経過した後、新たに得られたデータが過去3か月以内に得られたデータを置き換える。あるいは、空間に関して、ゲートウェイは、優先順位が低いデータに対し固定された格納空間を設定する。格納空間が完全に占有されているときに、新たなデータを格納する必要がある場合、ゲートウェイは、先に格納されていたデータを新しいデータで置き換える。
【００８３】
対応して、システムプラットフォームが照会する必要があるデータをゲートウェイが報告する処理は、2種類の場合を含み得る。システムプラットフォームが照会メッセージをゲートウェイに送信する場合、照会メッセージは、第3指示情報要素を搬送し得、第3指示情報要素は、ゲートウェイに端末デバイスの現在のメッセージ又は最新のメッセージを伝送するように指示するために使用される。
【００８４】
第3指示情報要素が、ゲートウェイの現在のメッセージを示す場合、ゲートウェイは、システムプラットフォームに返信される応答メッセージに、ゲートウェイにより現在格納されている、端末デバイスのデータ情報を直接追加する。
【００８５】
第3指示情報要素がデバイスの最新メッセージを示す場合、ゲートウェイは、端末デバイスの最新のデータ情報を照会する必要があり、次いで、端末デバイスの最新のデータ情報をシステムプラットフォームに返信される応答メッセージに追加する。
【００８６】
オプションで、ゲートウェイが、端末デバイスのデータ変動値が第2の所定の閾値より大きいことを現在検出している場合、上述したデータ伝送ルールは、さらに適用することはできず、具体的には、処理のためにデータをシステムプラットフォームに伝送するために、データを伝送するための期間まで待つことは適用できない。その代わりに、システムプラットフォームがデータを即座に処理できるように、事前データ報告ルールに基づいてデータは直ちにシステムプラットフォームに伝送される必要がある。
【００８７】
具体例では、端末デバイスが、ボイラ温度センサ、一般ユーザの家の中のメータ、及びそのユーザの家の中の温度センサを含むと仮定する。端末デバイスは、ゲートウェイを使用して、端末デバイスの登録要求メッセージをシステムプラットフォームに送信する。システムプラットフォームが端末デバイスの認証に成功すると、端末デバイスは、システムプラットフォームに登録される。システムプラットフォームは、各端末デバイスの登録情報に基づいて各端末デバイスの種類を判定する。さらに、各端末デバイスの種類に基づいて、各端末デバイスに対応するデータ伝送ルールが策定される。例えば、端末デバイスは、ボイラ温度センサである。ボイラは、エネルギー変換デバイスである。ボイラによって生成された温水又は上記は、工業生産及び人々の生活に熱及びエネルギーを直接提供でき、あるいは蒸気動力装置を使用することにより機械的エネルギーに変換し得る。機械的エネルギーは、発電機を使用することにより電力にさらに変換し得る。ボイラの温度が特定の高いレベルに達すると、ボイラは爆発し得、機械が損傷され得、さらに悪いことには、作業員に身体損傷を引き起こし得る。したがって、ボイラの温度を常に監視する必要がある。したがって、ボイラ温度センサは、キー監視デバイスであり、ボイラ温度センサにより検出される温度データは重要なデータである。したがって、端末デバイスの種類及びデータの種類に基づいて、ボイラ温度センサにより検出される温度データがレベル7から9のキー監視データであると、判定され得る。一般ユーザの家の中で使用されるメータにより検出されたデータは、システムが、ユーザにより一定期間において使用された電気量に対する統計を収集し、適時に電気料金請求書のユーザに通知できるように、システムプラットフォーム定期的にアップロードされ得る。したがって、この種類のデータは、レベル4から6の共通管理データとして分類され得る。ユーザの室内温度センサは、室内温度を検出するように構成される。一般に、室内温度の変動幅は大きくはないため、温度データは、システムプラットフォームにリアルタイムで伝送される必要はない。端末デバイスは、システムプラットフォームが照会を実行するときにのみデータをシステムプラットフォームにアップロードする必要がある。したがって、データは、レベル1から3の優先順位の低いデータとして分類され得る。
【００８８】
例えば、上記データを伝送する場合、同時に、ゲートウェイは、ボイラ温度センサの現在の温度データと、一か月以内のメータの総電気量データとをシステムプラットフォームに伝送する必要がある。ボイラ温度センサの温度データの優先順位は、メータの電気量データの優先順位よりも高い。したがって、ボイラ温度センサの温度データが優先的に伝送され、次いで電気メータの電力データが伝送される。
【００８９】
他の場合では、前述の説明から、ユーザの室内温度センサにより取得された温度データは優先順位の低いデータであり、一般に、ゲートウェイは、温度データをシステムプラットフォームにアクティブに伝送しないことが分かり得る。しかし、いったん室内温度センサが室内温度が20°Cから60°Cに急激に上昇したことを検出すると、室内温度の変動変更値が特定の閾値(例えば、10°C)を超えたことを示す。温度が急激に上昇すると、火災事故が生じ得る。ゲートウェイが、温度センサが室内温度が20°Cから60°Cに上昇したことを検出した、と判定すると、システムプラットフォームがイベントを適時に処理できるように、ゲートウェイは、直ちにその情報をシステムプラットフォームにアップロードする。
【００９０】
本発明の実施形態2において提供されるデータ伝送方法によると、システムプラットフォームは、登録された端末デバイスの種類及び端末デバイスにより生成されるデータの種類に基づいて、データ伝送ルールを設定する。データ伝送ルールは、データ伝送優先順位、データ伝送形式、事前報告ルール、などを含む。データ送信ルールを設定することにより、大量のデータがシステムプラットフォームに送信されるのを効果的に防ぐことができ、優先順位の高いデータを優先的に処理してシステム性能を向上させることができる。
【００９１】
本発明の実施形態3は、本発明の実施形態1において提供されたデータ伝送方法に対応するデータ伝送装置を提供する。データ伝送装置は、主に、データ伝送システムにおけるシステムプラットフォームに対応する。図4に詳細が示されている。図4は、本発明の実施形態による、データ伝送装置の概略構造図400である。装置は、処理モジュール401及び送信モジュール402を含む。
【００９２】
処理モジュール401は、端末デバイスの種類及び端末デバイスにより生成されるデータの種類に基づいて、端末デバイスにより生成されたデータのデータ伝送ルールを決定するように構成されている。
【００９３】
具体的には、処理モジュール401は、端末デバイスの種類及び端末デバイスのデータの種類に基づいて、端末デバイスにより生成されたデータの優先順位を決定し、データの優先順位に基づいてデータ伝送ルールを決定する。データ伝送ルールは、データ伝送優先順位及びデータ伝送様式を含み得る。
【００９４】
オプションで、データの優先順位が第1の所定の閾値より低い場合には、処理モジュール401は、具体的には、システムプラットフォームがデータを照会するときにのみシステムプラットフォームにデータをアップロードするように端末デバイスを設定するように構成されている。
【００９５】
データ伝送ルールでは、異なるレベルのデータが一定期間内にシステムに伝送され得、システムプラットフォームが同じ期間内に大量のデータを受信するために引き起こされるシステム効率の低下の問題を回避する。
【００９６】
しかし、端末デバイスのデータは、常に安定しているとは限らず、時間の経過と共に大きく変動し得る。この場合、上述したデータ伝送ルールをさらに適用することはできず、具体的には、処理のためにデータをシステムプラットフォームに伝送するために、データを伝送するための期間まで待つことは適用できない。その代わりに、システムプラットフォームがデータを即座に処理できるように、データは直ちにシステムプラットフォームに伝送される必要がある。例えば、温度センサは、室内温度が摂氏20度から60度に急激に変化したことを検出する。この場合、室内火災事故が発生したか、又はデバイスが故障している可能性がある。処理モジュール401が対応する処理を実行することができるように、端末デバイスは、直ちに、データを読み取りそのデータをシステムプラットフォームに送信する必要がある。したがって、本発明のこの実施形態では、データ伝送ルールは、事前データ報告ルールをさらに含み得る。事前データ報告ルールは、端末デバイスがデータの変動変更値が第2の所定の閾値より大きいことを検出するとすぐに、システムプラットフォームにデータを伝送するために使用される。
【００９７】
さらに、処理モジュール401は、ヘッダフィールドをデータ伝送メッセージに追加するようにさらに構成される。ヘッダフィールドは、指示情報要素を含み、指示情報要素は、データの優先順位を指示するために使用される。
【００９８】
送信モジュール402は、データ伝送メッセージを端末デバイスに送信するように構成されている。端末デバイスがデータ伝送ルールに基づいてシステムプラットフォームに、データ伝送ルールに対応するデータを送信できるように、データ伝送メッセージがデータ伝送ルールを搬送する。
【００９９】
実行されると、本発明の実施形態3において提供された装置は、本発明の実施形態1において提供されたシステムプラットフォームにより実行される方法のステップを実行する。動作の詳細については、本発明の実施形態1において提供された方法を参照のこと。
【０１００】
この実施形態において提供されるデータ伝送装置によれば、処理モジュールは、まず登録された端末デバイスのデバイス種類及び端末デバイスのデータの種類を取得し、端末デバイス種類及びデータの種類に基づいてデータ伝送ルールを決定する。データ伝送ルールは、データ伝送優先順位、データ伝送形式、事前報告ルール、などを含む。データ送信ルールを設定することにより、大量のデータがシステムプラットフォームに送信されるのを効果的に防ぐことができ、優先順位の高いデータを優先的に処理してシステム性能を向上させることができる。
【０１０１】
本発明の実施形態4は、別のデータ伝送装置を提供し、本発明の実施形態2において提供されたデータ伝送方法に対応する。データ伝送装置は、別のデータ伝送システムにおけるシステムプラットフォームに対応する。詳細が図5に示されている。図5は、本発明の実施形態による、伝送装置の概略構造図500である。装置は、処理モジュール501及び送信モジュール502を含む。
【０１０２】
処理モジュール501は、端末デバイスの種類及び端末デバイスにより生成されるデータの種類に基づいて、ゲートウェイにより伝送されるデータのデータ伝送ルールを決定するように構成されている。
【０１０３】
具体的には、処理モジュール501は、端末デバイスの種類及び端末デバイスのデータの種類に基づいて、端末デバイスにより生成されたデータの優先順位を決定し、データの優先順位に基づいてデータ伝送ルールを決定する。データ伝送ルールは、データ伝送優先順位と、データ伝送様式とを含む。
【０１０４】
オプションで、データの優先順位が第1の所定の閾値より低い場合には、処理モジュールは、具体的には、システムプラットフォームがデータを照会するときにのみシステムプラットフォームにデータをアップロードするようにゲートウェイを設定するように構成されている。
【０１０５】
データ伝送ルールでは、異なるデータがそのデータの優先順位に基づいて一定期間内にシステムに伝送され得、システムプラットフォームが同じ期間内に大量のデータを受信するために引き起こされるシステム効率の低下の問題を回避する。
【０１０６】
しかし、端末デバイスのデータは、常に安定しているとは限らず、時間の経過と共に大きく変動し得る。この場合、上述したデータ伝送ルールをさらに適用することはできず、具体的には、処理のためにデータをシステムプラットフォームに伝送するために、データを伝送するための時間まで待つことは適用できない。その代わりに、システムプラットフォームがデータを即座に処理できるように、データは直ちにシステムプラットフォームに伝送される必要がある。例えば、温度センサは、室内温度が摂氏20度から60度に急激に変化したことを検出する。この場合、室内火災事故が発生したか、又はデバイスが故障している可能性がある。システムプラットフォームが対応する処理を実行することができるように、ゲートウェイは、直ちに、データを読み取りそのデータをシステムプラットフォームに送信する必要がある。したがって、本発明のこの実施形態では、データ伝送ルールは、事前データ報告ルールをさらに含み得る。事前データ報告ルールは、ゲートウェイがデータの変動変更値が第2の所定の閾値より大きいことを検出するとすぐに、データをシステムプラットフォームに伝送するために使用される。
【０１０７】
データ処理モジュールは、ヘッダフィールドをデータ伝送メッセージに追加するようにさらに構成され、ヘッダフィールドは、指示情報要素を含み、指示情報要素は、データ伝送の優先順位を示すために使用される。
【０１０８】
実行されると、本発明の実施形態4において提供される装置は、本発明の実施形態2において提供されるシステムプラットフォームにより実行される方法のステップを実行する。動作の詳細については、本発明の実施形態２において提供される方法を参照のこと。
【０１０９】
実施形態4において提供されるデータ伝送装置によれば、処理モジュールは、まず、登録された端末デバイスのデバイス種類及び端末デバイスのデータの種類を取得し、端末デバイス種類及びデータの種類に基づいてデータ伝送ルールを決定する。データ伝送ルールは、データ伝送優先順位、データ伝送形式、事前報告ルール、などを含む。データ送信ルールを設定することにより、大量のデータがシステムプラットフォームに送信されるのを効果的に防ぐことができ、優先順位の高いデータを優先的に処理してシステム性能を向上させることができる。
【０１１０】
本発明の実施形態5はデータ伝送システムをさらに提供し、システムは実施形態3におけるデータ伝送装置と端末デバイスとを含む。システム内の構成要素によって実行される方法ステップは、実施形態1において詳細に説明され、さらなる説明はここでは提供されない。
【０１１１】
同様に、本発明の実施形態6はさらに別のデータ伝送システムを提供し、該システムは、実施形態4におけるデータ伝送装置、端末デバイス、及びゲートウェイを含む。システム内の構成要素によって実行される方法のステップは、実施形態2において詳細に説明され、さらなる説明はここでは提供されない。
【０１１２】
当業者は、本明細書に開示された実施形態に記載された例と組み合わせて、ユニットおよびアルゴリズムステップが電子ハードウェア、コンピュータソフトウェア、またはそれらの組み合わせにより実施され得ることをさらに知り得る。ハードウェアとソフトウェアとの間の互換性を明確に説明するために、概して、機能に基づく各例の構成およびステップをこれまで説明してきた。機能がハードウェア又はソフトウェアのどちらで実行されるかは、具体的なアプリケーションと技術的解決策の設計制約条件による。当業者であれば、特定の用途ごとに説明した機能を実施するための異なる方法を使用し得るが、その実施が本発明の範囲を超えるものであると考えるべきではない。
【０１１３】
本明細書に開示された実施形態に記載された方法またはアルゴリズムのステップは、ハードウェア、処理モジュールにより実行されるソフトウェアモジュール、またはそれらの組み合わせによって実装され得る。ソフトウェアモジュールは、ランダムアクセスメモリ（RAM）、メモリ、読み出し専用メモリ（ROM）、電気的にプログラム可能なROM、電気的に消去可能なプログラム可能なROM、レジスタ、ハードディスク、リムーバブルディスク、CD、または当技術分野において知られている任意の他の形態の記憶媒体に常駐してもよい。
【０１１４】
前述の特定の実装形態では、本発明の目的、技術的解決策、および利点がさらに詳細に説明されている。前述の説明は単に本発明の特定の実施形態であり、本発明の保護範囲を限定することを意図するものではないことを理解されたい。本発明の精神および原理から逸脱することなくなされたいかなる修正、均等な置換、または改良も本発明の保護範囲内に入るものとする。
【符号の説明】
【０１１５】
１１０  システムプラットフォーム
１２０  ゲートウェイ
１３０  端末デバイス
４０１  処理モジュール
４０２  送信モジュール
５０１  処理モジュール
５０２  送信モジュール
【図１】
2019515595.tif 000005
【図２】
2019515595.tif 000006
【図３】
2019515595.tif 000007
【図４】
2019515595.tif 000008
【図５】
2019515595.tif 000009
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
データ伝送方法であって、前記方法はシステムプラットフォームにより実行され、前記方法は、
端末デバイスの種類及び前記端末デバイスにより生成されるデータの種類に基づいて、前記端末デバイスにより生成された前記データのデータ伝送ルールを決定するステップと、
データ伝送メッセージを前記端末デバイス又はゲートウェイに送信するステップであって、前記端末デバイス又はゲートウェイが、前記データ伝送ルールに基づいて前記システムプラットフォームに前記データ伝送ルールに対応する前記データを送信できるように、前記ゲートウェイが前記端末デバイスにより生成されたデータを前記システムプラットフォームに伝送し、前記データ伝送メッセージが前記データ伝送ルールを搬送する、ステップと、
を具備することを特徴とするデータ伝送方法。
【請求項２】
前記端末デバイスの種類及び前記端末デバイスにより生成されるデータの種類に基づいて前記端末デバイスにより生成された前記データのデータ伝送ルールを決定する前記ステップは、具体的には、
前記端末デバイスの前記種類及び前記端末デバイスにより生成される前記データの前記種類に基づいて、前記端末デバイスにより生成された前記データの優先順位を決定するステップと、
前記データの前記優先順位に基づいて前記データ伝送ルールを決定するステップと、
を具備することを特徴とする請求項1に記載のデータ伝送方法。
【請求項３】
前記データ伝送ルールは、データ伝送優先順位と、データ伝送様式とを具備することを特徴とする請求項1又は2に記載のデータ伝送方法。
【請求項４】
前記データの前記優先順位が第1の所定の閾値より低い場合には、前記データ伝送様式は、具体的には、前記システムプラットフォームが前記データを照会するときにのみ、前記データを前記システムプラットフォームにアップロードするように前記端末デバイス又はゲートウェイを設定するステップ、を具備することを特徴とする請求項3に記載のデータ伝送方法。
【請求項５】
前記データ伝送ルールは、事前データ報告ルールをさらに具備し、前記事前データ報告ルールは、前記端末デバイス又はゲートウェイが前記データの変動変更値が第2の所定の閾値より大きいことを検出するとすぐに、前記データを前記システムプラットフォームに伝送するために使用されることを特徴とする請求項3又は4に記載のデータ伝送方法。
【請求項６】
前記方法は、
ヘッダフィールドを前記データ伝送メッセージに追加するステップであって、前記ヘッダフィールドは、指示情報要素を具備し、前記指示情報要素は、前記データの前記優先順位を指示するために使用される、ステップ
をさらに具備することを特徴とする請求項1から5のいずれか一項に記載のデータ伝送方法。
【請求項７】
データ伝送装置であって、前記装置は、
端末デバイスの種類及び前記端末デバイスにより生成されるデータの種類に基づいて、前記端末デバイスにより生成された前記データのデータ伝送ルールを決定するように構成された処理モジュールと、
データ伝送メッセージを前記端末デバイス又はゲートウェイに送信するように構成された送信モジュールであって、前記端末デバイス又はゲートウェイが、前記データ伝送ルールに基づいてシステムプラットフォームに、前記データ伝送ルールに対応する前記データを送信できるように、前記ゲートウェイが前記端末デバイスにより生成されたデータを前記システムプラットフォームに伝送し、前記データ伝送メッセージが前記データ伝送ルールを搬送する、送信モジュールと、
を具備することを特徴とするデータ伝送装置。
【請求項８】
前記処理モジュールは、具体的には、
前記端末デバイスの前記種類及び前記端末デバイスにより生成される前記データの前記種類に基づいて、前記端末デバイスにより生成された前記データの優先順位を決定し、
前記データの前記優先順位に基づいて、前記データ伝送ルールを決定する
ように構成されていることを特徴とする請求項7に記載のデータ伝送装置。
【請求項９】
前記データ伝送ルールは、データ伝送優先順位と、データ伝送様式とを具備することを特徴とする請求項7又は8に記載のデータ伝送装置。
【請求項１０】
前記データの前記優先順位が第1の所定の閾値より低い場合には、前記処理モジュールは、具体的には、前記システムプラットフォームが前記データを照会するときにのみ前記システムプラットフォームに前記データをアップロードするように前記端末デバイス又はゲートウェイを設定するように構成されていることを特徴とする請求項9に記載のデータ伝送装置。
【請求項１１】
前記データ伝送ルールは、事前データ報告ルールをさらに具備し、前記事前データ報告ルールは、前記端末デバイス又はゲートウェイが前記データの変動変更値が第2の所定の閾値より大きいことを検出するとすぐに、前記システムプラットフォームに前記データを伝送するために使用されることを特徴とする請求項9又は10に記載のデータ伝送装置。
【請求項１２】
前記処理モジュールは、ヘッダフィールドを前記データ伝送メッセージに追加するようにさらに構成され、前記ヘッダフィールドは、指示情報要素を具備し、前記指示情報要素は、前記データの前記優先順位を指示するために使用されることを特徴とする請求項7から11のいずれか一項に記載のデータ伝送装置。
【手続補正２】
【補正対象書類名】明細書
【補正対象項目名】全文
【補正方法】変更
【補正の内容】
【発明の詳細な説明】
【技術分野】
【０００１】
本出願は、2016年5月12日に中国特許庁に提出された「DATA TRANSMISSION METHOD, APPARATUS, AND SYSTEM」という名称の中国特許出願第201610312314.4号の優先権を主張し、その全体が参照により本明細書に組み入れられる。
【０００２】
本発明は、移動通信技術の分野に関連し、特に、データ伝送方法、装置、及びシステムに関する。
【背景技術】
【０００３】
モノのインターネット(略してIOT)は、インターネットを、無線周波数識別装置、赤外線センサ、全地球測位システム、およびレーザスキャナなどの様々な情報センシングデバイスと組み合わせることによって得られる巨大なネットワークである。目的は、識別と管理を容易にするためにすべてのオブジェクトをネットワークに接続することである。モノのインターネットのこの機能により、IOTネットワークには大量のデータが同時に伝送される。大量のデータ伝送はシステム性能を低下させる。システム性能を改善するために大量のデータ伝送をどのように解決するかが、本発明において解決されるべき技術的問題である。
【発明の概要】
【課題を解決するための手段】
【０００４】
本発明の実施形態は、データ伝送方法、装置、及びシステムを提供する。
【０００５】
第1の態様では、本発明は、データ伝送方法を提供し、この方法は、データ伝送システムに適用され、前記データ伝送システムは、システムプラットフォームと、端末デバイスとを含み、前記システムプラットフォームにより実行される方法は、
前記端末デバイスの種類及び前記端末デバイスにより生成されるデータの種類に基づいて、前記端末デバイスにより生成された前記データのデータ伝送ルールを決定するステップと、
データ伝送メッセージを前記端末デバイスに送信するステップであって、前記端末デバイスが、前記データ伝送ルールに基づいて前記システムプラットフォームに前記データ伝送ルールに対応する前記データを送信できるように、前記データ伝送メッセージが前記データ伝送ルールを搬送する、ステップと、
を含む。
【０００６】
第1の態様に関連し、第1の態様の第1の可能な実装において、前記端末デバイスの種類及び前記端末デバイスにより生成されるデータの種類に基づいて、前記端末デバイスにより生成された前記データのデータ伝送ルールを決定する前記ステップは、具体的には、
前記端末デバイスの前記種類及び前記端末デバイスの前記データの前記種類に基づいて、前記端末デバイスにより生成された前記データの優先順位を決定するステップと、
前記データの前記優先順位に基づいて前記データ伝送ルールを決定するステップと、
を含む。
【０００７】
第1の態様、又は第1の態様の第1の可能な実装に関連し、第1の態様の第2の可能な実装において、前記データ伝送ルールは、データ伝送優先順位と、データ伝送様式とを含む。
【０００８】
第1の態様の第2の可能な実装に関連し、第1の態様の第3の可能な実装において、前記データの前記優先順位が第1の所定の閾値より低い場合には、前記データ伝送様式は、具体的には、前記システムプラットフォームが前記データを照会するときにのみ前記データを前記システムプラットフォームにアップロードするように前記端末デバイスを設定するステップ、を含む。
【０００９】
第1の態様の第3の可能な実装、又は第1の態様の第4の可能な実装に関連し、第1の態様の第5の可能な実装において、前記データ伝送ルールは、事前データ報告ルールをさらに含み、前記事前データ報告ルールは、前記端末デバイスが前記データの変動変更値（floating change value）が第2の所定の閾値より大きいことを検出するとすぐに、前記データを前記システムプラットフォームに伝送するために使用される。
【００１０】
第1の態様から第1の態様の第4の可能な実装のいずれか1つに関連し、第1の態様の第5の可能な実装において、前記方法は、
ヘッダフィールドを前記データ伝送メッセージに追加するステップであって、前記ヘッダフィールドは、指示情報要素を含み、前記指示情報要素は、前記データの前記優先順位を指示するために使用される、ステップ
をさらに含む。
【００１１】
第2の態様では、本発明は、別のデータ伝送方法を提供し、この方法は、データ伝送システムに適用され、前記データ伝送システムは、システムプラットフォーム、ゲートウェイ、及び端末デバイスを含み、前記システムプラットフォームにより実行される方法は、
前記端末デバイスの種類及び前記端末デバイスにより生成されるデータの種類に基づいて、前記ゲートウェイにより伝送されるデータのデータ伝送ルールを決定するステップと、
データ伝送メッセージを前記ゲートウェイに送信するステップであって、前記ゲートウェイが前記データ伝送ルールに基づいて前記端末デバイスから前記データ伝送ルールに対応するデータを取得し、前記システムプラットフォームに前記データを送信できるように前記データ伝送メッセージがデータ伝送ルールを搬送する、ステップと、
を含む。
【００１２】
第2の態様に関連し、第2の態様の第1の可能な実装において、前記端末デバイスの種類及び前記端末デバイスにより生成されるデータの種類に基づいて前記ゲートウェイにより伝送されるデータのデータ伝送ルールを決定する前記ステップは、具体的には、
前記端末デバイスの前記種類及び前記端末デバイスの前記データの前記種類に基づいて、前記端末デバイスにより生成された前記データの優先順位を決定するステップと、
前記データの前記優先順位に基づいて前記データ伝送ルールを決定するステップと、
を含む。
【００１３】
第2の態様、又は第2の態様の第1の可能な実装に関連し、第2の態様の第2の可能な実装において、前記データ伝送ルールは、データ伝送優先順位と、データ伝送様式とを含む。
【００１４】
第2の態様の第2の可能な実装に関連し、第2の態様の第3の可能な実装において、前記データの前記優先順位が第1の所定の閾値より低い場合には、前記データ伝送様式は、具体的には、前記システムプラットフォームが前記データを照会するときにのみ前記データを前記システムプラットフォームにアップロードするように前記ゲートウェイを設定するステップを含む。
【００１５】
第2の態様の第2の可能な実装、又は第2の態様の第3の可能な実装に関連し、第2の態様の第4の可能な実装において、前記データ伝送ルールは、事前データ報告ルールをさらに含み、前記事前データ報告ルールは、前記ゲートウェイが前記データの変動変更値が第2の所定の閾値より大きいことを検出するとすぐに、前記データを前記システムプラットフォームに伝送するために使用される。
【００１６】
第2の態様から第2の態様の第4の可能な実装のいずれか1つに関連し、第2の態様の第5の可能な実装において、前記方法は、ヘッダフィールドを前記データ伝送メッセージに追加するステップをさらに含み、前記ヘッダフィールドは、指示情報要素を含み、前記指示情報要素は、前記データ伝送の前記優先順位を示すために使用される。
【００１７】
第3の態様では、本発明は、データ伝送装置を提供し、前記装置は、
前記端末デバイスの種類及び前記端末デバイスにより生成されるデータの種類に基づいて、前記端末デバイスにより生成された前記データのデータ伝送ルールを決定するように構成された処理モジュールと、
データ伝送メッセージを前記端末デバイスに送信するように構成された送信モジュールであって、前記端末デバイスが前記データ伝送ルールに基づいて前記システムプラットフォームに、前記データ伝送ルールに対応する前記データを送信できるように、前記データ伝送メッセージが前記データ伝送ルールを搬送する、送信モジュールと、
を含む。
【００１８】
第3の態様に関連し、第3の態様の第1の可能な実装において、前記処理モジュールは、具体的には、
前記端末デバイスの前記種類及び前記端末デバイスの前記データの前記種類に基づいて、前記端末デバイスにより生成された前記データの優先順位を決定し、
前記データの前記優先順位に基づいて前記データ伝送ルールを決定する
ように構成されている。
【００１９】
第3の態様又は、第3の態様の第1の可能な実装に関連し、第3の態様の第2の可能な実装において、前記データ伝送ルールは、データ伝送優先順位と、データ伝送様式とを含む。
【００２０】
第3の態様の第2の可能な実装に関連し、第3の態様の第3の可能な実装において、前記データの前記優先順位が第1の所定の閾値より低い場合には、前記処理モジュールは、具体的には、前記システムプラットフォームが前記データを照会するときにのみ前記システムプラットフォームに前記データをアップロードするように前記端末デバイスを設定するように構成されている。
【００２１】
第3の態様の第2の可能な実装、又は第3の態様の第2の可能な実装に関連し、第3の態様の第4の可能な実装において、前記データ伝送ルールは、事前データ報告ルールをさらに含み、前記事前データ報告ルールは、前記端末デバイスが前記データの変動変更値が第2の所定の閾値より大きいことを検出するとすぐに、前記システムプラットフォームに前記データを伝送するために使用される。
【００２２】
第3の態様から第3の態様の第4の可能な実装のいずれか1つに関連し、第3の態様の第5の可能な実装において、前記処理モジュールは、ヘッダフィールドを前記データ伝送メッセージに追加するようにさらに構成され、前記ヘッダフィールドは、指示情報要素を含み、前記指示情報要素は、前記データの前記優先順位を指示するために使用されるようにさらに構成されている。
【００２３】
第4の態様では、本発明の実施形態は、別のデータ伝送装置を提供し、前記装置は、
前記端末デバイスの種類及び前記端末デバイスにより生成されるデータの種類に基づいて、前記ゲートウェイにより伝送されるデータのデータ伝送ルールを決定するように構成されている処理モジュールと、
データ伝送メッセージを前記ゲートウェイに送信するように構成されている送信モジュールであって、前記ゲートウェイが、前記データ伝送ルールに基づいて前記端末デバイスから前記データ伝送ルールに対応するデータを取得し、前記システムプラットフォームに前記データを送信できるように前記データ伝送メッセージがデータ伝送ルールを搬送する送信モジュールと、
を含む。
【００２４】
第4の態様に関連し、第4の態様の第1の可能な実装において、前記処理モジュールは、具体的には、前記端末デバイスの前記種類及び前記端末デバイスの前記データの前記種類に基づいて、前記端末デバイスにより生成された前記データの優先順位を決定し、
前記データの前記優先順位に基づいて前記データ伝送ルールを決定する
ように構成されている。
【００２５】
第4の態様、又は第4の態様の第1の可能な実装に関連し、第4の態様の第2の可能な実装において、前記データ伝送ルールは、データ伝送優先順位と、データ伝送様式とを含む。
【００２６】
第4の態様の第2の可能な実装に関連し、第4の態様の第3の可能な実装において、前記データの前記優先順位が第1の所定の閾値より低い場合には、前記処理モジュールは、具体的には、前記システムプラットフォームが前記データを照会するときにのみ前記システムプラットフォームに前記データをアップロードするように前記ゲートウェイを設定するように構成されている。
【００２７】
第4の態様の第2の可能な実装、又は第4の態様の第3の可能な実装に関連し、第4の態様の第4の可能な実装において、前記データ伝送ルールは、事前データ報告ルールをさらに含み、前記事前データ報告ルールは、前記ゲートウェイが前記データの変動変更値が第2の所定の閾値より大きいことを検出するとすぐに、前記データを前記システムプラットフォームに伝送するために使用される。
【００２８】
第4の態様から第4の態様の第4の可能な実装のいずれか1つに関連し、第4の態様の第5の可能な実装において、前記処理モジュールは、ヘッダフィールドを前記データ伝送メッセージに追加するようにさらに構成され、前記ヘッダフィールドは、指示情報要素を含み、前記指示情報要素は、前記データ伝送の前記優先順位を示すために使用される。
【００２９】
第5の態様では、本発明の実施形態は、データ伝送システムをさらに提供し、前記システムは、第3の態様のいずれか1つの態様による前記装置及び前記端末デバイスを含む。
【００３０】
第6の態様では、本発明の実施形態は、別のデータ伝送システムをさらに提供し、前記システムは、第4の態様のいずれか1つに記載の前記装置、前記端末デバイス、及び前記ゲートウェイを含む。
【００３１】
前述の技術的解決策に基づいて、本発明の実施形態は、データ伝送方法を提供する。前記システムプラットフォームは、まず、登録された端末デバイスのデバイス種類及び前記端末デバイスのデータの種類を取得し、前記端末デバイス種類及び前記データの種類に基づいてデータ伝送ルールを決定する。前記データ伝送ルールは、データ伝送優先順位、データ伝送様式、事前報告ルール、などを含む。データ送信ルールを設定することにより、大量のデータがシステムプラットフォームに送信されるのを効果的に防ぐことができ、優先順位の高いデータを優先的に処理してシステム性能を向上させることができる。
【図面の簡単な説明】
【００３２】
【図１】図1は、本発明の実施形態による、ゲートウェイを使用することによって端末デバイスが端末登録情報を登録のためにシステムプラットフォームに伝送するシグナリングフローチャート100である。
【図２】図2は、本発明の実施形態1による、データ伝送システムにおけるデバイス間のデータ伝送のシグナリングフローチャート200である。
【図３】図3は、本発明の実施形態2による、他のデータ伝送システムにおけるデバイス間のデータ伝送のシグナリングフローチャート300である。
【図４】図4は、本発明の実施形態3による、データ伝送装置の概略構造図400である。
【図５】図5は、本発明の実施形態4による、他のデータ伝送装置の概略構造図500である。
【発明を実施するための形態】
【００３３】
本発明の技術的解決策は、添付の図面及び以下の実施形態を参照してさらに詳細に説明される。
【００３４】
本発明の実施形態の目的、技術的解決策、および利点をより明瞭にするために、以下では、本発明の実施形態における添付の図面を参照して本発明の実施形態における技術的解決策を説明する。明らかに、説明される実施形態は、本発明の実施形態のすべてではなく一部である。創作的労力なしで本発明の実施形態に基づいて当業者が取得する他のすべての実施形態は、本発明の保護範囲に含まれなければならない。
【００３５】
図１は、本発明の実施形態による、ゲートウェイを使用することによって端末デバイスが端末登録情報を登録のためにシステムプラットフォームに伝送するシグナリングフローチャートである。具体的な登録処理は以下のとおりである。
【００３６】
まず、端末デバイスは、登録要求メッセージをゲートウェイに送信する。登録要求メッセージは、登録情報を搬送し、登録情報は、端末デバイスのID情報、端末デバイスの認証情報、端末デバイスの種類、及び端末デバイスのデータの種類を含む。端末デバイスの登録要求メッセージを受信した後、ゲートウェイは、端末デバイスに登録要求メッセージに対応する第1応答情報を返信し、システムプラットフォームに、登録情報を搬送する登録要求メッセージを転送する。登録要求メッセージを受信した後、システムプラットフォームは、登録要求メッセージから登録情報を取得し、その登録情報に基づいて端末デバイスの認証を実行し、その認証が成功した後、認証成功を示す第2応答情報をゲートウェイに返信する。ゲートウェイは、第2応答情報を端末デバイスに転送する。当然、認証が失敗すると、システムプラットフォームは、第3応答情報を返信し、ゲートウェイは、第3応答情報を端末デバイスにフィードバックする。
【００３７】
端末デバイスが登録要求メッセージをゲートウェイに伝送し、次いでゲートウェイを使用して登録要求メッセージをシステムプラットフォームに転送し、システムプラットフォームが登録要求メッセージ内の登録情報に基づいて端末デバイスの登録を実行する処理は、ただ一度だけ実行される必要があり、データ伝送ルールに基づくデータ伝送の各時間中に実行されないことは理解し得る。登録処理は、データ伝送前に実行される必要がある必要な処理である。したがって、この実施形態では、まず、端末デバイスをシステムプラットフォームに登録する実行処理についてとりまとめる。
【００３８】
端末が２つの様式でシステムプラットフォームに登録され得ることに留意すべきである。１つの方法では、端末は、ゲートウェイを使用することにより、システムプラットフォームに登録し(具体的な処理が上述されている)、別の様式では、端末デバイスは、ゲートウェイのノードを使用せずに、システムプラットフォームに直接登録する。具体的な実行処理は、ゲートウェイを使用して実行される登録処理と類似する。それらの間の唯一の違いは、ゲートウェイが実行処理における媒体として使用されていないことである。詳細はここでは再び説明しない。
【００３９】
以下では、2つの様式のそれぞれにおける具体的なデータ伝送処理を説明する。
【００４０】
図２は、本発明の実施形態1による、データ伝送システムにおける構成要素間のデータ伝送のシグナリングフローチャート200である。システムは、システムプラットフォームと、端末デバイスとを含む。具体的な動作処理は以下のとおりである。
【００４１】
ステップ２１０：端末デバイスの種類及び端末デバイスにより生成されるデータの種類に基づいて、端末デバイスにより生成されたデータのデータ伝送ルールを決定する。
【００４２】
具体的には、端末デバイスの登録情報は、端末デバイスのID情報、端末デバイスの認証情報、端末デバイスの種類、及び端末デバイスのデータの種類を含む。したがって、端末デバイスの登録情報を取得した後、システムプラットフォームは、端末デバイスの種類及び端末デバイスのデータの種類を決定し得る。
【００４３】
端末デバイスの優先順位は、端末デバイスの種類及び端末デバイスにより生成されたデータの種類に基づいて決定し得、データ伝送ルールは、データの優先順位に基づいて決定され得る。データ伝送ルールは、データ伝送優先順位及びデータ伝送様式を含み得る。
【００４４】
デバイスの種類は、キー監視デバイス、共通監視デバイス、制限付き監視デバイス、及び非監視デバイスが含み得る。データの種類は、デバイス管理データ、リアルタイムデータ、ログデータ、等が含み得る。例えば、キー監視デバイスのログデータの優先順位は、共通監視デバイスの警告データの優先順位よりも常に低い。あるいは、データ優先順位は、具体的には、数値形式で表されてもよい。例えば、データ優先順位は、レベル1から9に設定される。優先順位の高いデータのレベルは、レベル7から9に設定され、一般的な優先順位のデータのレベルは、レベル4から6に設定され、優先順位の低いデータのレベルはレベル1から3に設定される。デバイスの種類及びデータの種類に基づいて具体的に決定されるデータ優先順位の優先順位の表現形式は、表1に示され得る。
【００４５】
【表１】
2019515595.tif 000010
【００４６】
さらに、データ優先順位が第1の所定の閾値(例えば、第1の所定の閾値が4)より低い場合には、端末デバイスは、システムプラットフォームにデータを積極的に伝送せずに、システムプラットフォームが照会メッセージを端末デバイスに送信した場合にのみ、システムプラットフォームにデータを送信するように設定される。
【００４７】
データ優先順位が設定された後、データ伝送様式は、
レベル7から9のデータの場合、端末デバイスはデータをシステムプラットフォームに定期的にアップロードし、
レベル4から6のデータの場合、端末デバイスは、データをまとめてパックし、システムプラットフォームにより指定された時間にシステムプラットフォームにデータをアップロードし、
レベル1から3のデータの場合、端末デバイスは、システムプラットフォームが照会メッセージを送信した場合にのみシステムプラットフォームにデータを送信する
ことを含み得る。
【００４８】
データ伝送ルールでは、異なるレベルのデータが一定期間内にシステムに伝送され得、システムプラットフォームが同じ期間内に大量のデータを受信するために引き起こされるシステム効率の低下の問題を回避する。
【００４９】
しかし、端末デバイスのデータは、常に安定しているとは限らず、時間の経過と共に大きく変動し得る。この場合、上述したデータ伝送ルールをさらに適用することはできず、具体的には、処理のためにデータをシステムプラットフォームに伝送するために、データを伝送するための期間まで待つことは適用できない。その代わりに、システムプラットフォームがデータを即座に処理できるように、データは直ちにシステムプラットフォームに伝送される必要がある。例えば、温度センサは、室内温度が摂氏20度から60度に急激に変化したことを検出する。この場合、室内火災事故が発生したか、又はデバイスが故障している可能性がある。システムプラットフォームが対応する処理を実行することができるように、端末デバイスは、直ちに、データを読み取りそのデータをシステムプラットフォームに送信する必要がある。したがって、本発明のこの実施形態では、データ伝送ルールは、事前データ報告ルールをさらに含み得る。事前データ報告ルールは、端末デバイスがデータの変動変更値が第2の所定の閾値より大きいことを検出するとすぐに、システムプラットフォームにデータを伝送するために使用される。
【００５０】
ステップ２２０：システムプラットフォームは、データ伝送メッセージを端末デバイスに送信する。
【００５１】
具体的には、端末デバイスがデータ伝送ルールに基づいてシステムプラットフォームに、データ伝送ルールに対応するデータを送信できるように、データ伝送メッセージがデータ伝送ルールを搬送する。
【００５２】
オプションで、新しいヘッダフィールドがデータ伝送メッセージに追加されてもよい。ヘッダフィールドは、データ伝送優先順位を示すために使用される第1指示情報要素を含む。
【００５３】
あるいは、データ優先順位を示している第2指示情報要素がデータ伝送メッセージのヘッダフィールドに格納されてもよい。
【００５４】
ステップ２３０：端末デバイスは、システムプラットフォームにより送信されたデータ伝送メッセージを受信する。データ伝送メッセージはデータ伝送ルールを搬送する。
【００５５】
ステップ２４０：端末デバイスは、データ伝送ルールに基づいてシステムプラットフォームに、データ伝送ルールに対応するデータを送信する。
【００５６】
具体的には、システムプラットフォームが取得する必要があるデータ及びステップ220に記載された特定のデータ伝送様式(定期的に伝送されるデータ、一定期間内に伝送されるデータ、アクティブに伝送されないデータ、などを含む)は、データ伝送ルールに基づいて決定され得る。
【００５７】
端末デバイスは、システムプラットフォームが取得する必要があるデータを、システムプラットフォームにより指定される時間内にシステムプラットフォームに伝送する必要がある。
【００５８】
伝送処理において、データ伝送の優先順位は、データの優先順位に依存する。例えば、優先順位の高いデータが伝送され、優先順位の高いデータのデータ優先順位がレベル7から9の場合、データ伝送処理において、データ優先順位がレベル９であるデータはまずシステムプラットフォームに伝送される必要があり、次いで、優先順位がレベル８のデータがシステムプラットフォームに伝送され、優先順位がレベル7のデータがシステムプラットフォームに最後に伝送される。同様に、他の優先順位を有するデータについては、低い優先順位を有するデータが相対的に高い優先順位を有するデータよりも後に送信される。
【００５９】
具体例では、端末デバイスが、ボイラ温度センサ、一般ユーザの家の中のメータ、及びそのユーザの家の中の温度センサを含むと仮定する。端末デバイスは、端末デバイスの登録要求メッセージをシステムプラットフォームに直接送信する。システムプラットフォームが端末デバイスの認証に成功すると、端末デバイスは、システムプラットフォームに登録される。システムプラットフォームは、各端末デバイスの登録情報に基づいて各端末デバイスの種類を判定する。さらに、各端末デバイスの種類及び各端末デバイスにより生成されるデータの種類に基づいて、各端末デバイスに対応するデータ伝送ルールが策定される。例えば、端末デバイスは、ボイラ温度センサである。ボイラは、エネルギー変換デバイスである。ボイラによって生成された温水又は上記は、工業生産及び人々の生活に熱及びエネルギーを直接提供でき、あるいは蒸気動力装置を使用することにより機械的エネルギーに変換し得る。機械的エネルギーは、発電機を使用することにより電力にさらに変換し得る。ボイラの温度が特定の高いレベルに達すると、ボイラは爆発し得、機械が損傷され得、さらに悪いことには、作業員に身体損傷を引き起こし得る。したがって、ボイラの温度を常に監視する必要がある。したがって、ボイラ温度センサは、キー監視デバイスであり、ボイラ温度センサにより検出される温度データは重要なデータである。したがって、端末デバイスの種類及びデータの種類に基づいて、ボイラ温度センサにより検出される温度データがレベル7から9のキー監視データであると、判定され得る。一般ユーザの家の中で使用されるメータにより検出されたデータは、システムが、ユーザにより一定期間において使用された電気量に対する統計を収集し、適時に電気料金請求書のユーザに通知できるように、システムプラットフォーム定期的にアップロードされ得る。したがって、この種類のデータは、レベル4から6の共通管理データとして分類され得る。ユーザの室内温度センサは、室内温度を検出するように構成される。一般に、室内温度の変動幅は大きくはないため、温度データは、システムプラットフォームにリアルタイムで伝送される必要はない。端末デバイスは、システムプラットフォームが照会を実行するときにのみデータをシステムプラットフォームにアップロードする必要がある。したがって、データは、レベル1から3の優先順位の低いデータとして分類され得る。
【００６０】
例えば、上記データを伝送する場合、同時に、端末デバイスは、ボイラ温度センサの現在の温度データと、一か月以内のメータの総電気量データとをシステムプラットフォームに伝送する必要がある。ボイラ温度センサの温度データの優先順位は、メータの電気量データの優先順位よりも高い。したがって、ボイラ温度センサの温度データが優先的に伝送され、次いで電気メータの電力データが伝送される。
【００６１】
他の場合では、前述の説明から、ユーザの室内温度センサにより取得された温度データは優先順位の低いデータであり、一般に、端末デバイスは、温度データをシステムプラットフォームにアクティブに伝送しないことが分かり得る。しかし、いったん室内温度センサが室内温度が20°Cから60°Cに急激に上昇したことを検出すると、室内温度の変動変更値が特定の閾値(例えば、10°C)を超えたことを示す。温度が急激に上昇すると、火災事故が生じ得る。端末デバイスが、温度センサが室内温度が20°Cから60°Cに上昇したことを検出した、と判定すると、システムプラットフォームがイベントを適時に処理できるように、端末デバイスは、直ちにその情報をシステムプラットフォームにアップロードする。
【００６２】
本発明の実施形態1において提供されたデータ伝送方法によれば、システムプラットフォームは、登録された端末デバイスの種類及び端末デバイスにより生成されるデータの種類に基づいて、データ伝送ルールを設定する。データ伝送ルールは、データ伝送優先順位、データ伝送様式、事前報告ルール、等を含む。データ送信ルールを設定することにより、大量のデータがシステムプラットフォームに送信されるのを効果的に防ぐことができ、優先順位の高いデータを優先的に処理してシステム性能を向上させることができる。
【００６３】
別の場合では、端末デバイスは、ゲートウェイを使用することにより、システムプラットフォームへの通信接続をさらに確立し得る。ゲートウェイを使用することにより端末デバイスとシステムプラットフォームとの間で確立されるインターアクションの具体的な処理が図3に示されている。図3は、本発明の実施形態2による、他のデータ伝送システムにおける構成要素間のデータ伝送のシグナリングフローチャート300である。システムは、システムプラットフォーム、ゲートウェイ、及び端末デバイスを含む。具体的な動作処理は以下のとおりである。
【００６４】
ステップ３１０：システムプラットフォームは、端末デバイスの種類及び端末デバイスにより生成されるデータの種類に基づいて、ゲートウェイにより伝送されるデータのデータ伝送ルールを決定する。
【００６５】
具体的には、端末デバイスの登録情報は、端末デバイスのID情報、端末デバイスの認証情報、端末デバイスの種類、及び端末デバイスのデータの種類を含む。したがって、端末デバイスの登録情報を取得した後、システムプラットフォームは、端末デバイスの種類及び端末デバイスのデータの種類を決定し得る。
【００６６】
データの優先順位に基づいてデータ伝送ルールを決定するために、端末デバイスの優先順位は、端末デバイスの種類及び端末デバイスにより生成されたデータの種類に基づいて決定され得る。データ伝送ルールは、データ伝送優先順位及びデータ伝送様式を含み得る。
【００６７】
デバイスの種類は、キー監視デバイス、共通監視デバイス、制限付き監視デバイス、及び非監視デバイスが含み得る。データの種類は、デバイス管理データ、リアルタイムデータ、ログデータ、等が含み得る。例えば、キー監視デバイスのログデータの優先順位は、共通監視デバイスの警告データの優先順位よりも常に低い。あるいは、データ優先順位は、具体的には、数値形式で表されてもよい。例えば、データ優先順位は、レベル1から9に設定される。優先順位の高いデータのレベルは、レベル7から9に設定され、一般的な優先順位のデータのレベルは、レベル4から6に設定され、優先順位の低いデータのレベルはレベル1から3に設定される。デバイスの種類及びデータの種類に基づいて具体的に決定されるデータ優先順位の優先順位の表現形式は、表1に示され得る。
【００６８】
【表２】
2019515595.tif 000011
【００６９】
さらに、データ優先順位が第1の所定の閾値(例えば、第1の所定の閾値が4)より低い場合には、ゲートウェイは、システムプラットフォームにデータを積極的に伝送せずに、システムプラットフォームが照会メッセージをゲートウェイに送信した場合にのみ、システムプラットフォームにデータを送信するように設定される。
【００７０】
データ優先順位が設定された後、データ伝送様式は、
レベル7から9のデータの場合、ゲートウェイはデータをシステムプラットフォームに定期的にアップロードし、
レベル4から6のデータの場合、ゲートウェイは、データをまとめてパックし、システムプラットフォームにより指定された時間にシステムプラットフォームにデータをアップロードし、
レベル1から3のデータの場合、ゲートウェイは、システムプラットフォームが照会メッセージを送信した場合にのみシステムプラットフォームにデータを送信する
ことを含み得る。
【００７１】
データ伝送ルールでは、異なるレベルのデータが一定期間内にシステムに伝送され得、システムプラットフォームが同じ期間内に大量のデータを受信するために引き起こされるシステム効率の低下の問題を回避する。
【００７２】
しかし、端末デバイスのデータは、常に安定しているとは限らず、時間の経過と共に大きく変動し得る。この場合、上述したデータ伝送ルールをさらに適用することはできず、具体的には、処理のためにデータをシステムプラットフォームに伝送するために、データを伝送するための時間まで待つことは適用できない。その代わりに、システムプラットフォームがデータを即座に処理できるように、データは直ちにシステムプラットフォームに伝送される必要がある。例えば、温度センサは、室内温度が摂氏20度から60度に急激に変化したことを検出する。この場合、室内火災事故が発生したか、又はデバイスが故障している可能性がある。システムプラットフォームが対応する処理を実行することができるように、ゲートウェイは、直ちに、データを読み取りそのデータをシステムプラットフォームに送信する必要がある。したがって、本発明のこの実施形態において、データ伝送ルールは、事前データ報告ルールをさらに含み得る。事前データ報告ルールは、ゲートウェイがデータの変動変更値が第2の所定の閾値より大きいことを検出するとすぐに、データをシステムプラットフォームに伝送するために使用される。
【００７３】
ステップ３２０：システムプラットフォームは、データ伝送メッセージをゲートウェイに送信する。
【００７４】
具体的には、ゲートウェイがデータ伝送ルールに基づいて端末デバイスからデータ伝送ルールに対応するデータを取得し、システムプラットフォームにデータを送信できるように、データ伝送メッセージがデータ伝送ルールを搬送する。
【００７５】
オプションで、新しいヘッダフィールドがデータ伝送メッセージに追加されてもよい。ヘッダフィールドは、データ伝送優先順位を示すために使用される第1指示情報要素を含む。
【００７６】
あるいは、データ優先順位を示している第2指示情報要素がデータ伝送メッセージのヘッダフィールドに格納されてもよい。
【００７７】
ステップ３３０：ゲートウェイは、システムプラットフォームにより送信されたデータ伝送メッセージを受信する。データ伝送メッセージがデータ伝送ルールを搬送する。
【００７８】
ステップ３４０：データ伝送ルールに基づいて端末デバイスから、データ伝送ルールに対応するデータを取得し、データをシステムプラットフォームに送信する。
【００７９】
具体的には、システムプラットフォームが取得する必要があるデータ及びステップ310に記載された特定のデータ伝送様式は、データ伝送ルールに基づいて決定され得る。
【００８０】
システムプラットフォームにより指定される時間内に、ゲートウェイは、端末デバイスから、システムプラットフォームが取得する必要がある現在のデータを取得し、そのデータをシステムプラットフォームに伝送する必要がある。
【００８１】
伝送処理において、データ伝送の優先順位は、データの優先順位に依存する。例えば、優先順位の高いデータが伝送され、優先順位の高いデータのデータ優先順位がレベル7から9の場合、データ伝送処理において、データ優先順位がレベル９であるデータはまずシステムプラットフォームに伝送される必要があり、次いで、優先順位がレベル８のデータがシステムプラットフォームに伝送され、優先順位がレベル7のデータがシステムプラットフォームに最後に伝送される。同様に、他の優先順位を有するデータについては、低い優先順位を有するデータが相対的に高い優先順位を有するデータよりも後に送信される。
【００８２】
システムプラットフォームが照会を実行する必要がある場合に、ゲートウェイによりアクティブにアップロードされないデータ、例えば、優先順位が低いデータが、ゲートウェイによりシステムプラットフォームに送信されることが前述の説明から理解し得ることに留意すべきである。しかし、ゲートウェイは、照会に対応する報告されたデータに対して照会パラメータをさらに設定し得る。照会パラメータは、時間及び空間に関して設定されるパラメータであり得る。例えば、時間に関して、ゲートウェイは、3か月以内に取得された優先順位が低いデータだけを格納する。さらに3か月が経過した後、新たに得られたデータが過去3か月以内に得られたデータを置き換える。あるいは、空間に関して、ゲートウェイは、優先順位が低いデータに対し固定された格納空間を設定する。格納空間が完全に占有されているときに、新たなデータを格納する必要がある場合、ゲートウェイは、先に格納されていたデータを新しいデータで置き換える。
【００８３】
対応して、システムプラットフォームが照会する必要があるデータをゲートウェイが報告する処理は、2種類の場合を含み得る。システムプラットフォームが照会メッセージをゲートウェイに送信する場合、照会メッセージは、第3指示情報要素を搬送し得、第3指示情報要素は、ゲートウェイに端末デバイスの現在のメッセージ又は最新のメッセージを伝送するように指示するために使用される。
【００８４】
第3指示情報要素が、ゲートウェイの現在のメッセージを示す場合、ゲートウェイは、システムプラットフォームに返信される応答メッセージに、ゲートウェイにより現在格納されている、端末デバイスのデータ情報を直接追加する。
【００８５】
第3指示情報要素がデバイスの最新メッセージを示す場合、ゲートウェイは、端末デバイスの最新のデータ情報を照会する必要があり、次いで、端末デバイスの最新のデータ情報をシステムプラットフォームに返信される応答メッセージに追加する。
【００８６】
オプションで、ゲートウェイが、端末デバイスのデータ変動値が第2の所定の閾値より大きいことを現在検出している場合、上述したデータ伝送ルールは、さらに適用することはできず、具体的には、処理のためにデータをシステムプラットフォームに伝送するために、データを伝送するための期間まで待つことは適用できない。その代わりに、システムプラットフォームがデータを即座に処理できるように、事前データ報告ルールに基づいてデータは直ちにシステムプラットフォームに伝送される必要がある。
【００８７】
具体例では、端末デバイスが、ボイラ温度センサ、一般ユーザの家の中のメータ、及びそのユーザの家の中の温度センサを含むと仮定する。端末デバイスは、ゲートウェイを使用して、端末デバイスの登録要求メッセージをシステムプラットフォームに送信する。システムプラットフォームが端末デバイスの認証に成功すると、端末デバイスは、システムプラットフォームに登録される。システムプラットフォームは、各端末デバイスの登録情報に基づいて各端末デバイスの種類を判定する。さらに、各端末デバイスの種類に基づいて、各端末デバイスに対応するデータ伝送ルールが策定される。例えば、端末デバイスは、ボイラ温度センサである。ボイラは、エネルギー変換デバイスである。ボイラによって生成された温水又は上記は、工業生産及び人々の生活に熱及びエネルギーを直接提供でき、あるいは蒸気動力装置を使用することにより機械的エネルギーに変換し得る。機械的エネルギーは、発電機を使用することにより電力にさらに変換し得る。ボイラの温度が特定の高いレベルに達すると、ボイラは爆発し得、機械が損傷され得、さらに悪いことには、作業員に身体損傷を引き起こし得る。したがって、ボイラの温度を常に監視する必要がある。したがって、ボイラ温度センサは、キー監視デバイスであり、ボイラ温度センサにより検出される温度データは重要なデータである。したがって、端末デバイスの種類及びデータの種類に基づいて、ボイラ温度センサにより検出される温度データがレベル7から9のキー監視データであると、判定され得る。一般ユーザの家の中で使用されるメータにより検出されたデータは、システムが、ユーザにより一定期間において使用された電気量に対する統計を収集し、適時に電気料金請求書のユーザに通知できるように、システムプラットフォーム定期的にアップロードされ得る。したがって、この種類のデータは、レベル4から6の共通管理データとして分類され得る。ユーザの室内温度センサは、室内温度を検出するように構成される。一般に、室内温度の変動幅は大きくはないため、温度データは、システムプラットフォームにリアルタイムで伝送される必要はない。端末デバイスは、システムプラットフォームが照会を実行するときにのみデータをシステムプラットフォームにアップロードする必要がある。したがって、データは、レベル1から3の優先順位の低いデータとして分類され得る。
【００８８】
例えば、上記データを伝送する場合、同時に、ゲートウェイは、ボイラ温度センサの現在の温度データと、一か月以内のメータの総電気量データとをシステムプラットフォームに伝送する必要がある。ボイラ温度センサの温度データの優先順位は、メータの電気量データの優先順位よりも高い。したがって、ボイラ温度センサの温度データが優先的に伝送され、次いで電気メータの電力データが伝送される。
【００８９】
他の場合では、前述の説明から、ユーザの室内温度センサにより取得された温度データは優先順位の低いデータであり、一般に、ゲートウェイは、温度データをシステムプラットフォームにアクティブに伝送しないことが分かり得る。しかし、いったん室内温度センサが室内温度が20°Cから60°Cに急激に上昇したことを検出すると、室内温度の変動変更値が特定の閾値(例えば、10°C)を超えたことを示す。温度が急激に上昇すると、火災事故が生じ得る。ゲートウェイが、温度センサが室内温度が20°Cから60°Cに上昇したことを検出した、と判定すると、システムプラットフォームがイベントを適時に処理できるように、ゲートウェイは、直ちにその情報をシステムプラットフォームにアップロードする。
【００９０】
本発明の実施形態2において提供されるデータ伝送方法によると、システムプラットフォームは、登録された端末デバイスの種類及び端末デバイスにより生成されるデータの種類に基づいて、データ伝送ルールを設定する。データ伝送ルールは、データ伝送優先順位、データ伝送様式、事前報告ルール、などを含む。データ送信ルールを設定することにより、大量のデータがシステムプラットフォームに送信されるのを効果的に防ぐことができ、優先順位の高いデータを優先的に処理してシステム性能を向上させることができる。
【００９１】
本発明の実施形態3は、本発明の実施形態1において提供されたデータ伝送方法に対応するデータ伝送装置を提供する。データ伝送装置は、主に、データ伝送システムにおけるシステムプラットフォームに対応する。図4に詳細が示されている。図4は、本発明の実施形態による、データ伝送装置の概略構造図400である。装置は、処理モジュール401及び送信モジュール402を含む。
【００９２】
処理モジュール401は、端末デバイスの種類及び端末デバイスにより生成されるデータの種類に基づいて、端末デバイスにより生成されたデータのデータ伝送ルールを決定するように構成されている。
【００９３】
具体的には、処理モジュール401は、端末デバイスの種類及び端末デバイスのデータの種類に基づいて、端末デバイスにより生成されたデータの優先順位を決定し、データの優先順位に基づいてデータ伝送ルールを決定する。データ伝送ルールは、データ伝送優先順位及びデータ伝送様式を含み得る。
【００９４】
オプションで、データの優先順位が第1の所定の閾値より低い場合には、処理モジュール401は、具体的には、システムプラットフォームがデータを照会するときにのみシステムプラットフォームにデータをアップロードするように端末デバイスを設定するように構成されている。
【００９５】
データ伝送ルールでは、異なるレベルのデータが一定期間内にシステムに伝送され得、システムプラットフォームが同じ期間内に大量のデータを受信するために引き起こされるシステム効率の低下の問題を回避する。
【００９６】
しかし、端末デバイスのデータは、常に安定しているとは限らず、時間の経過と共に大きく変動し得る。この場合、上述したデータ伝送ルールをさらに適用することはできず、具体的には、処理のためにデータをシステムプラットフォームに伝送するために、データを伝送するための期間まで待つことは適用できない。その代わりに、システムプラットフォームがデータを即座に処理できるように、データは直ちにシステムプラットフォームに伝送される必要がある。例えば、温度センサは、室内温度が摂氏20度から60度に急激に変化したことを検出する。この場合、室内火災事故が発生したか、又はデバイスが故障している可能性がある。処理モジュール401が対応する処理を実行することができるように、端末デバイスは、直ちに、データを読み取りそのデータをシステムプラットフォームに送信する必要がある。したがって、本発明のこの実施形態では、データ伝送ルールは、事前データ報告ルールをさらに含み得る。事前データ報告ルールは、端末デバイスがデータの変動変更値が第2の所定の閾値より大きいことを検出するとすぐに、システムプラットフォームにデータを伝送するために使用される。
【００９７】
さらに、処理モジュール401は、ヘッダフィールドをデータ伝送メッセージに追加するようにさらに構成される。ヘッダフィールドは、指示情報要素を含み、指示情報要素は、データの優先順位を指示するために使用される。
【００９８】
送信モジュール402は、データ伝送メッセージを端末デバイスに送信するように構成されている。端末デバイスがデータ伝送ルールに基づいてシステムプラットフォームに、データ伝送ルールに対応するデータを送信できるように、データ伝送メッセージがデータ伝送ルールを搬送する。
【００９９】
実行されると、本発明の実施形態3において提供された装置は、本発明の実施形態1において提供されたシステムプラットフォームにより実行される方法のステップを実行する。動作の詳細については、本発明の実施形態1において提供された方法を参照のこと。
【０１００】
この実施形態において提供されるデータ伝送装置によれば、処理モジュールは、まず登録された端末デバイスのデバイス種類及び端末デバイスのデータの種類を取得し、端末デバイス種類及びデータの種類に基づいてデータ伝送ルールを決定する。データ伝送ルールは、データ伝送優先順位、データ伝送様式、事前報告ルール、などを含む。データ送信ルールを設定することにより、大量のデータがシステムプラットフォームに送信されるのを効果的に防ぐことができ、優先順位の高いデータを優先的に処理してシステム性能を向上させることができる。
【０１０１】
本発明の実施形態4は、別のデータ伝送装置を提供し、本発明の実施形態2において提供されたデータ伝送方法に対応する。データ伝送装置は、別のデータ伝送システムにおけるシステムプラットフォームに対応する。詳細が図5に示されている。図5は、本発明の実施形態による、伝送装置の概略構造図500である。装置は、処理モジュール501及び送信モジュール502を含む。
【０１０２】
処理モジュール501は、端末デバイスの種類及び端末デバイスにより生成されるデータの種類に基づいて、ゲートウェイにより伝送されるデータのデータ伝送ルールを決定するように構成されている。
【０１０３】
具体的には、処理モジュール501は、端末デバイスの種類及び端末デバイスのデータの種類に基づいて、端末デバイスにより生成されたデータの優先順位を決定し、データの優先順位に基づいてデータ伝送ルールを決定する。データ伝送ルールは、データ伝送優先順位と、データ伝送様式とを含む。
【０１０４】
オプションで、データの優先順位が第1の所定の閾値より低い場合には、処理モジュールは、具体的には、システムプラットフォームがデータを照会するときにのみシステムプラットフォームにデータをアップロードするようにゲートウェイを設定するように構成されている。
【０１０５】
データ伝送ルールでは、異なるデータがそのデータの優先順位に基づいて一定期間内にシステムに伝送され得、システムプラットフォームが同じ期間内に大量のデータを受信するために引き起こされるシステム効率の低下の問題を回避する。
【０１０６】
しかし、端末デバイスのデータは、常に安定しているとは限らず、時間の経過と共に大きく変動し得る。この場合、上述したデータ伝送ルールをさらに適用することはできず、具体的には、処理のためにデータをシステムプラットフォームに伝送するために、データを伝送するための時間まで待つことは適用できない。その代わりに、システムプラットフォームがデータを即座に処理できるように、データは直ちにシステムプラットフォームに伝送される必要がある。例えば、温度センサは、室内温度が摂氏20度から60度に急激に変化したことを検出する。この場合、室内火災事故が発生したか、又はデバイスが故障している可能性がある。システムプラットフォームが対応する処理を実行することができるように、ゲートウェイは、直ちに、データを読み取りそのデータをシステムプラットフォームに送信する必要がある。したがって、本発明のこの実施形態では、データ伝送ルールは、事前データ報告ルールをさらに含み得る。事前データ報告ルールは、ゲートウェイがデータの変動変更値が第2の所定の閾値より大きいことを検出するとすぐに、データをシステムプラットフォームに伝送するために使用される。
【０１０７】
データ処理モジュールは、ヘッダフィールドをデータ伝送メッセージに追加するようにさらに構成され、ヘッダフィールドは、指示情報要素を含み、指示情報要素は、データ伝送の優先順位を示すために使用される。
【０１０８】
実行されると、本発明の実施形態4において提供される装置は、本発明の実施形態2において提供されるシステムプラットフォームにより実行される方法のステップを実行する。動作の詳細については、本発明の実施形態２において提供される方法を参照のこと。
【０１０９】
実施形態4において提供されるデータ伝送装置によれば、処理モジュールは、まず、登録された端末デバイスのデバイス種類及び端末デバイスのデータの種類を取得し、端末デバイス種類及びデータの種類に基づいてデータ伝送ルールを決定する。データ伝送ルールは、データ伝送優先順位、データ伝送様式、事前報告ルール、などを含む。データ送信ルールを設定することにより、大量のデータがシステムプラットフォームに送信されるのを効果的に防ぐことができ、優先順位の高いデータを優先的に処理してシステム性能を向上させることができる。
【０１１０】
本発明の実施形態5はデータ伝送システムをさらに提供し、システムは実施形態3におけるデータ伝送装置と端末デバイスとを含む。システム内の構成要素によって実行される方法ステップは、実施形態1において詳細に説明され、さらなる説明はここでは提供されない。
【０１１１】
同様に、本発明の実施形態6はさらに別のデータ伝送システムを提供し、該システムは、実施形態4におけるデータ伝送装置、端末デバイス、及びゲートウェイを含む。システム内の構成要素によって実行される方法のステップは、実施形態2において詳細に説明され、さらなる説明はここでは提供されない。
【０１１２】
当業者は、本明細書に開示された実施形態に記載された例と組み合わせて、ユニットおよびアルゴリズムステップが電子ハードウェア、コンピュータソフトウェア、またはそれらの組み合わせにより実施され得ることをさらに知り得る。ハードウェアとソフトウェアとの間の互換性を明確に説明するために、概して、機能に基づく各例の構成およびステップをこれまで説明してきた。機能がハードウェア又はソフトウェアのどちらで実行されるかは、具体的なアプリケーションと技術的解決策の設計制約条件による。当業者であれば、特定の用途ごとに説明した機能を実施するための異なる方法を使用し得るが、その実施が本発明の範囲を超えるものであると考えるべきではない。
【０１１３】
本明細書に開示された実施形態に記載された方法またはアルゴリズムのステップは、ハードウェア、処理モジュールにより実行されるソフトウェアモジュール、またはそれらの組み合わせによって実装され得る。ソフトウェアモジュールは、ランダムアクセスメモリ（RAM）、メモリ、読み出し専用メモリ（ROM）、電気的にプログラム可能なROM、電気的に消去可能なプログラム可能なROM、レジスタ、ハードディスク、リムーバブルディスク、CD、または当技術分野において知られている任意の他の形態の記憶媒体に常駐してもよい。
【０１１４】
前述の特定の実装形態では、本発明の目的、技術的解決策、および利点がさらに詳細に説明されている。前述の説明は単に本発明の特定の実施形態であり、本発明の保護範囲を限定することを意図するものではないことを理解されたい。本発明の実施形態から逸脱することなくなされたいかなる修正、均等な置換、または改良も本発明の保護範囲内に入るものとする。
【符号の説明】
【０１１５】
１１０  システムプラットフォーム
１２０  ゲートウェイ
１３０  端末デバイス
４０１  処理モジュール
４０２  送信モジュール
５０１  処理モジュール
５０２  送信モジュール
【国際調査報告】
2019515595.tif 000012
2019515595.tif 000013
2019515595.tif 000014
2019515595.tif 000015